(57)【要約】本開示は、抗薬物抗体（ＡＤＡ）免疫アッセイにおける薬物標的干渉を軽減するための方法を提供し、ここで、ＡＤＡ免疫アッセイは、弱い塩基性ｐＨアッセイ条件下で１つ以上の標的遮断試薬を含む。一態様では、本発明の薬物は、モノクローナル抗体（例えば、完全ヒトモノクローナル抗体）などの療法用結合分子または免疫グロブリンＦｃドメイン、例えば、ヒトを治療するために設計されたＩｇＧ１  Ｆｃドメインに融合された受容体タンパク質などの療法用融合タンパク質など、ヒトを治療するために使用される療法用タンパク質である。特定の態様では、薬物は、療法用ヒトモノクローナル抗体である。【特許請求の範囲】
【請求項１】
血清サンプル中の薬物に対するＡＤＡの存在を決定するための抗薬物抗体（ＡＤＡ）架橋免疫アッセイにおける薬物標的干渉を軽減するための方法であって、
前記血清サンプルを
第１の標識で標識された捕捉薬物、
第２の標識で標識された検出薬物、および
薬物標的遮断試薬と接触させることと、
弱い塩基性ｐＨアッセイ条件下で、前記血清サンプルを前記捕捉薬物、前記検出薬物、および前記薬物標的遮断試薬とともにインキュベートすることと、
前記薬物標的遮断試薬を前記サンプル中に存在する前記薬物標的に結合させ、
それにより前記ＡＤＡ架橋免疫アッセイにおける前記薬物標的の干渉を軽減することと、を含む、方法。
【請求項２】
前記抗薬物抗体（ＡＤＡ）架橋免疫アッセイを実行することをさらに含む、請求項１に記載の方法。
【請求項３】
前記薬物標的遮断試薬が薬物標的遮断抗体である、請求項１に記載の方法。
【請求項４】
前記薬物標的が、例えば、受容体に対するリガンドなどの可溶性タンパク質である、請求項１に記載の方法。
【請求項５】
前記薬物標的遮断試薬が、ＩｇＧ  Ｆｃドメインに融合された前記受容体の部分を含む、請求項４に記載の方法。
【請求項６】
前記受容体の前記部分が、前記受容体の細胞外部分である、請求項５に記載の方法。
【請求項７】
前記ＩｇＧＦｃドメインが、マウスＩｇＧ  Ｆｃドメインである、請求項５に記載の方法。
【請求項８】
前記ＩｇＧＦｃドメインが、ヒトＩｇＧ  Ｆｃドメインである、請求項５に記載の方法。
【請求項９】
前記血清サンプルを第２の薬物標的遮断試薬と接触させることをさらに含む、請求項１に記載の方法。
【請求項１０】
前記第２の薬物標的遮断試薬が、薬物標的遮断抗体である、請求項９に記載の方法。
【請求項１１】
前記第２の薬物標的遮断抗体が、マウス定常領域を含む、請求項１０に記載の方法。
【請求項１２】
前記薬物が、ヒト療法用モノクローナル抗体である、請求項１に記載の方法。
【請求項１３】
前記薬物が、ヒト化療法用モノクローナル抗体である、請求項１に記載の方法。
【請求項１４】
前記ヒト療法用モノクローナル抗体または前記ヒト化療法用モノクローナル抗体が、臨床試験で評価されている、請求項１２または１３に記載の方法。
【請求項１５】
前記薬物標的が、可溶性または脱落した多量体薬物標的である、請求項１に記載の方法。
【請求項１６】
前記薬物標的が、ホモ二量体薬物標的である、請求項１に記載の方法。
【請求項１７】
前記弱い塩基性ｐＨアッセイ条件が、約８．３〜約８．９のｐＨの条件を含む、請求項１に記載の方法。
【請求項１８】
前記弱い塩基性ｐＨアッセイ条件が、約８．３のｐＨの条件を含む、請求項１７に記載の方法。
【請求項１９】
前記弱い塩基性ｐＨアッセイ条件が、約８．９のｐＨの条件を含む、請求項１７に記載の方法。
【請求項２０】
前記血清サンプルが、ヒト血清サンプルである、請求項１〜１９のいずれかに記載の方法。
【請求項２１】
前記血清サンプルが、前記薬物で治療されている対象からのものである、請求項１〜２０いずれかに記載の方法。
【請求項２２】
前記インキュベーションが、室温で行われる、請求項１に記載の方法。
【請求項２３】
前記抗薬物抗体（ＡＤＡ）架橋免疫アッセイが、ハイスループットアッセイである、請求項１に記載の方法。
【請求項２４】
前記捕捉薬物が、固体表面に付着している、請求項１に記載の方法。
【請求項２５】
前記固体表面が、マイクロタイタープレートである、請求項２４に記載の方法。
【請求項２６】
前記固体表面が、ストレプトアビジンでコーティングされている、請求項２４に記載の方法。
【請求項２７】
前記捕捉標識が、ビオチン標識、タンパク質Ａ標識、タンパク質Ｇ標識、およびグルタチオンＳ−トランスフェラーゼ（ＧＳＴ）標識からなる群から選択される、請求項１に記載の方法。
【請求項２８】
前記第２の標識が、ルテニウム標識、放射線標識、光輝性標識、化学発光標識、蛍光標識、電気化学発光標識、および酵素標識からなる群から選択される、請求項１に記載の方法。
【請求項２９】
血清サンプル中の薬物に対するＡＤＡの存在を決定するための抗薬物抗体（ＡＤＡ）架橋免疫アッセイにおける薬物標的干渉を軽減するための方法であって、
前記血清サンプルを
第１の標識で標識された捕捉薬物、
第２の標識で標識された検出薬物、
第１の薬物標的遮断抗体、および
第２の薬物標的遮断抗体と接触させることと、
弱い塩基性ｐＨアッセイ条件下で、前記捕捉薬物、前記検出薬物、前記第１の薬物標的遮断抗体、および前記第２の薬物標的遮断抗体をインキュベートすることと、
前記第１の薬物標的遮断抗体および前記第２の薬物標的遮断抗体を前記サンプル中に存在する前記薬物標的に結合させ、
それにより前記ＡＤＡ架橋免疫アッセイにおける前記薬物標的の干渉を軽減することと、を含む、方法。
【請求項３０】
血清サンプル中の薬物に対するＡＤＡの存在を決定するための抗薬物抗体（ＡＤＡ）架橋免疫アッセイにおける薬物標的干渉を軽減するための方法であって、前記薬物標的が、可溶性タンパク質であり、前記方法が、
前記血清サンプルを
第１の標識で標識された捕捉薬物、
第２の標識で標識された検出薬物、
ＩｇＧ  Ｆｃドメインに融合された前記受容体の細胞外部分を含む薬物標的遮断試薬、および
薬物標的遮断抗体と接触させることと、
弱い塩基性ｐＨアッセイ条件下で、前記捕捉薬物、前記検出薬物、前記薬物標的遮断試薬、および前記薬物標的遮断抗体をインキュベートすることと、
前記薬物標的遮断試薬および前記薬物標的遮断抗体を前記サンプル中に存在する前記薬物標的に結合させ、
それにより前記ＡＤＡ架橋免疫アッセイにおける前記薬物標的の干渉を軽減することと、を含む、方法。
【発明の詳細な説明】
【技術分野】
【０００１】
関連出願の参照
本出願は、２０１８年７月１０日に出願された米国仮出願第６２／６９６，０１６号に対する優先権の利益を主張する。前述の出願の全内容は、参照により本明細書に組み込まれる。
【背景技術】
【０００２】
生物療法（例えば、タンパク質、ペプチド、ヌクレオチドなどの生物学的薬剤）は、臨床診療において非常に成功していることが証明されている。しかしながら、生物療法薬は、完全にヒト療法用モノクローナル抗体でさえ、薬物曝露の喪失、有効性の喪失、および重篤な有害事象などの所望されない影響を引き起こし得る抗薬物抗体（ＡＤＡ）を生成する可能性を有する（Ｋｏｒｅｎ，Ｅ．，ｅｔ  ａｌ．Ｃｕｒｒ  Ｐｈａｒｍ  Ｂｉｏｔｅｃｈｎｏｌ，２００２，３（４）：ｐ．３４９−６０；Ｓｃｈｅｌｌｅｋｅｎｓ，Ｈ．，Ｃｌｉｎ  Ｔｈｅｒ，２００２，２４（１１）：ｐ．１７２０−４０）。したがって、免疫原性評価は、生物療法薬の安全性試験の重要な部分であり、規制当局からのものを含む、薬物開発の様々な段階での免疫原性試験においていくつかの推奨事項が発行されている（Ｓｈａｎｋａｒ，Ｇ．，ｅｔ  ａｌ．，Ｊ  Ｐｈａｒｍ  Ｂｉｏｍｅｄ  Ａｎａｌ，２００８，４８（５）：ｐ．１２６７−８１、Ｓｈａｎｋａｒ，Ｇ．，ｅｔ  ａｌ．Ｎａｔ  Ｂｉｏｔｅｃｈｎｏｌ，２００７，２５（５）：ｐ．５５５−６１、Ｍｉｒｅ−Ｓｌｕｉｓ，Ａ．Ｒ．，ｅｔ  ａｌ．，Ｊ  Ｉｍｍｕｎｏｌ  Ｍｅｔｈｏｄｓ，２００４，２８９（１−２）：ｐ．１−１６、Ｓｗａｎｓｏｎ，Ｓ．Ｊ．ａｎｄ  Ｊ．Ｂｕｓｓｉｅｒｅ，Ｃｕｒｒ  Ｏｐｉｎ  Ｍｉｃｒｏｂｉｏｌ，２０１２，１５（３）：ｐ．３３７−４７、Ｅｕｒｏｐｅａｎ  Ｍｅｄｉｃｉｎｅｓ  Ａｇｅｎｃｙ，Ｃ．ｆ．Ｍ．Ｐ．ｆ．Ｈ．Ｕ．，Ｇｕｉｄｅｌｉｎｅ  ｏｎ  Ｉｍｍｕｎｏｇｅｎｉｃｉｔｙ  Ａｓｓｅｓｓｍｅｎｔ  ｏｆ  Ｂｉｏｔｅｃｈｎｏｌｏｇｙ−Ｄｒｉｖｅｄ  Ｔｈｅｒａｐｅｕｔｉｃ  Ｐｒｏｔｅｉｎｓ．Ｅｕｒｏｐｅａｎ  Ｍｅｄｉｃｉｎｅｓ  Ａｇｅｎｃｙ，Ｌｏｎｄｏｎ，ＵＫ，２００７、およびＵＳ  Ｄｅｐａｒｔｍｅｎｔ  ｏｆ  Ｈｅａｌｔｈ  ａｎｄ  Ｈｕｍａｎ  Ｓｅｒｖｉｃｅｓ，Ｕ．Ｆ．Ｃ．，ＣＢＥＲ，Ｇｕｉｄａｎｃｅ  ｆｏｒ  Ｉｎｄｕｓｔｒｙ−−Ａｓｓａｙ  Ｄｅｖｅｌｏｐｍｅｎｔ  ｆｏｒ  Ｉｍｍｕｎｏｇｅｎｉｃｉｔｙ  Ｔｅｓｔｉｎｇ  ｏｆ  Ｔｈｅｒａｐｅｕｔｉｃ  Ｐｒｏｔｅｉｎｓ（Ｄｒａｆｔ）．ＵＳ  Ｄｅｐａｒｔｍｅｎｔ  ｏｆ  Ｈｅａｌｔｈ  ａｎｄ  Ｈｕｍａｎ  Ｓｅｒｖｉｃｅｓ，Ｗａｓｈｉｎｇｔｏｎ，ＤＣ，ＵＳＡ，２００９）。
【先行技術文献】
【非特許文献】
【０００３】
【非特許文献１】Ｋｏｒｅｎ，Ｅ．，ｅｔ  ａｌ．Ｃｕｒｒ  Ｐｈａｒｍ  Ｂｉｏｔｅｃｈｎｏｌ，２００２，３（４）：ｐ．３４９−６０
【非特許文献２】Ｓｃｈｅｌｌｅｋｅｎｓ，Ｈ．，Ｃｌｉｎ  Ｔｈｅｒ，２００２，２４（１１）：ｐ．１７２０−４０
【非特許文献３】Ｓｈａｎｋａｒ，Ｇ．，ｅｔ  ａｌ．，Ｊ  Ｐｈａｒｍ  Ｂｉｏｍｅｄ  Ａｎａｌ，２００８，４８（５）
【発明の概要】
【課題を解決するための手段】
【０００４】
本発明は、血清サンプル中の薬物に対するＡＤＡの存在の決定に使用される抗薬物抗体（ＡＤＡ）架橋免疫アッセイにおける薬物標的干渉を軽減するための方法を対象とする。本発明の方法は、血清サンプルを第１の標識で標識された捕捉薬物、第２の標識で標識された検出薬物、および薬物標的遮断試薬と接触させることを含む。次に、この接触ステップに続いて、捕捉薬物、検出薬物、および薬物標的遮断試薬をインキュベートし、薬物標的遮断試薬がサンプル中に存在する薬物標的と相互作用することを可能にし、それによりＡＤＡ架橋免疫アッセイにおける薬物標的の干渉を軽減する。これに続いて、抗薬物抗体（ＡＤＡ）架橋免疫アッセイが実行され得る。
本発明の一態様では、血清サンプルは、ヒト血清サンプルであり、特定の態様では、サンプルは、薬物で治療されている対象からのものである。
【０００５】
別の態様では、薬物標的遮断試薬は、例えば、抗体などの結合分子である。結合分子が抗体である一実施形態では、それは、ヒト定常領域を含み得る。あるいは、別の実施形態では、薬物標的遮断抗体は、マウス定常領域を含む。
【０００６】
一態様では、インキュベーションステップは、室温で実行される。別の態様では、インキュベーションは、弱い塩基性ｐＨ条件下で実施される。
【０００７】
一態様では、本発明の薬物は、モノクローナル抗体（例えば、完全ヒトモノクローナル抗体）などの療法用結合分子または免疫グロブリンＦｃドメイン、例えば、ヒトを治療するために設計されたＩｇＧ１  Ｆｃドメインに融合された受容体タンパク質などの療法用融合タンパク質など、ヒトを治療するために使用される療法用タンパク質である。特定の態様では、薬物は、療法用ヒトモノクローナル抗体である。
【０００８】
本発明の一態様では、薬物標的は、例えば、受容体に対するリガンドなどの可溶性タンパク質である。特定の態様では、薬物標的遮断試薬は、ＩｇＧ  Ｆｃドメインに融合された受容体の部分を含む。さらなる態様では、受容体の部分は、受容体の細胞外部分である。ＩｇＧ  Ｆｃドメインは、マウスＩｇＧ  ＦｃドメインまたはヒトＩｇＧ  Ｆｃドメインであり得る。
【０００９】
別の態様では、本発明の薬物標的は、可溶性、または脱落した二量体もしくは多量体の薬物標的である。特定の態様では、薬物標的は、ホモ二量体の薬物標的である。
【００１０】
一態様では、本発明の捕捉薬物は、固体表面に付着している。特定の態様では、固体表面は、マイクロタイタープレートである。別の態様では、固体表面は、ストレプトアビジンでコーティングされている。
【００１１】
一態様では、第１の標識は、ビオチン標識、タンパク質Ａ標識、タンパク質Ｇ標識、およびグルタチオンＳ−トランスフェラーゼ（ＧＳＴ）標識からなる群から選択される。別の態様では、第２の標識は、ルテニウム標識、放射線標識、光輝性標識、化学発光標識、蛍光標識、電気化学発光標識、および酵素標識からなる群から選択される。
【００１２】
本発明の方法は、血清サンプルを第２の薬物標的遮断試薬と接触させることをさらに含み得る。この第２の薬物標的遮断試薬は、例えば、抗体などの薬物標的遮断結合分子である。一態様では、第２の薬物標的遮断抗体は、ヒト定常領域を含む。あるいは、第２の薬物標的遮断抗体は、マウス定常領域を含む。
【００１３】
本発明は、血清サンプル中の薬物に対するＡＤＡの存在を決定するための抗薬物抗体（ＡＤＡ）架橋免疫アッセイにおける薬物標的干渉を軽減するための方法を提供し、これは、血清サンプルを第１の標識で標識された捕捉薬物、第２の標識で標識された検出薬物、第１の薬物標的遮断結合分子、および第２の薬物標的遮断結合分子と接触させることと、弱い塩基性ｐＨアッセイ条件下で捕捉薬物、検出薬物、第１の薬物標的遮断結合分子、および第２の薬物標的遮断結合分子をインキュベートすることと、第１の薬物標的遮断結合分子および第２の薬物標的遮断結合分子がサンプル中に存在する薬物標的と相互作用することを可能にし、それによりＡＤＡ架橋免疫アッセイにおける薬物標的の干渉を軽減することと、を含む。特定の態様では、第１および第２の薬物標的遮断結合分子は、抗体である。
【００１４】
本発明は、血清サンプル中の薬物に対するＡＤＡの存在を決定するための抗薬物抗体（ＡＤＡ）架橋免疫アッセイにおける薬物標的干渉を軽減するための方法をさらに提供し、ここで、薬物標的は、例えば、受容体に対するリガンドなどの可溶性タンパク質であり、本方法は、血清サンプルを第１の標識で標識された捕捉薬物、第２の標識で標識された検出薬物、１つ以上の薬物標的遮断結合分子（例えば、抗体）と接触させることを含み、弱い塩基性ｐＨアッセイ条件下でインキュベーションすることを含み、ここで、捕捉薬物、検出薬物、および１つ以上の薬物標的遮断結合分子は、サンプル中に存在する薬物標的と相互作用し、それによりＡＤＡ架橋免疫アッセイにおける薬物標的の干渉を軽減する。
【００１５】
本発明は、特許請求の範囲に記載の本発明の範囲を限定しない以下の図面および詳細な説明により例示される。
【図面の簡単な説明】
【００１６】
【図１】（図１Ａ〜Ｃ）架橋免疫原性アッセイにおける可溶性二量体／多量体標的からの干渉を描写する。（Ａ）ヒト血清サンプル中の陽性対照またはＡＤＡは、ビオチン化薬物およびルテニル化薬物を架橋し、真陽性ＡＤＡシグナルを生成する。（Ｂ）しかしながら、二量体／多量体標的はまた、ビオチン化薬物およびルテニル化薬物の両方に結合し、標的媒介偽陽性シグナルを生成し得る。（Ｃ）抗標的抗体または他の標的遮断試薬は、二量体標的のビオチン化薬物およびルテニル化薬物への結合を防止し、標的媒介偽陽性シグナルを無効にし得る。（Ｃ）の標識試薬は、捕捉薬物（１）、検出薬物（２）、および１つ以上の薬物標的遮断分子（３）を表す。
【図２】（図２Ａ〜Ｃ）標的遮断抗体ＨｕＡｂ１およびアッセイｐＨのアッセイシグナルに対する影響を描写する。（Ａ）標的遮断抗体がない場合、酸解離は、標的をおそらくその内因性結合タンパク質から放出することにより、ナイーブヒト血清サンプルのバックグラウンドアッセイシグナルを増加させた。（Ｂ）中性ｐＨ（約３ｎｇ／ｍＬ〜１５０ｎｇ／ｍＬ）で１００μｇ／ｍＬのＨｕＡｂ１を添加すると、標的許容レベルが改善し、ＨｕＡｂ１と弱い塩基性ｐＨとの組み合わせでさらに改善（約１．１μｇ／ｍＬ）した。（Ｃ）塩基性アッセイ条件（ｐＨ８．３）で１００μｇ／ｍＬのＨｕＡｂ１を添加すると、ナイーブヒト血清サンプルの標的媒介シグナルが大幅に低減した。
【図３−１】（図３Ａ〜Ｄ）標的遮断抗体ＨｕＡｂ１およびアッセイｐＨ８．３を使用して、異なる対象からの臨床研究サンプルの分析から得られたＡＤＡシグナルは、標的レベルと相関したが、それらの薬物動態プロファイルと一致しなかったことを描写する。（Ａ）各臨床サンプルの標的濃度。（Ｂ）１００μｇ／ｍＬの標的遮断抗体ＨｕＡｂ１およびｐＨ８．３を使用したＡＤＡシグナル。（Ｃ）試験された３人の対象の薬物Ｘ濃度プロファイル。（Ｄ）ＨｕＡｂ１（１００μｇ／ｍＬ）および弱い塩基性ｐＨと組み合わせた第２の抗標的抗体（１００μｇ／ｍＬのＨｕＡｂ２）の添加は、臨床サンプルにおける標的媒介バックグラウンドシグナルを効果的に低減した。
【図３−２】同上。
【図４−１】（図４Ａ〜Ｃ）標的干渉を阻害するだけでなく、起こり得る偽陰性シグナルを回避するためにも、さらなるアッセイ最適化後のシグナル対ノイズ比（アッセイバックグラウンドシグナルと比較したサンプルのアッセイシグナル）を描写する。（Ａ）ＨｕＳＲとＨｕＡｂ２との組み合わせは、臨床研究サンプル中の標的干渉を軽減する上で、ＨｕＡｂ１とＨｕＡｂ２との組み合わせと同じくらい効果的であった。（Ｂ）および（Ｃ）のマウスＦｃを用いた標的遮断試薬（ＭｓＳＲおよびＭｓＡｂ２）はいっそう、臨床研究サンプル中の標的干渉を効果的に軽減する。
【図４−２】同上。
【図５】（図５）１００μｇ／ｍＬのＭｓＳＲ、１００μｇ／ｍＬのＭｓＡｂ２、およびアッセイｐＨ８．３による臨床研究サンプル中の標的干渉の除去を描写する。４つの異なる時点（１日目、２９日目、５７日目、および１１３日目）で７人の対象からの臨床研究サンプル中でバックグラウンドアッセイシグナルのみが検出された。
【図６−１】（図６Ａ〜Ｂ）免疫ウサギ血清およびラット毒物学サンプルにおけるポリクローナルＡＤＡ検出に対する弱い塩基性アッセイｐＨおよび標的遮断試薬の最小限の影響を描写する。（Ａ）弱い塩基性ｐＨ８．３は、薬物Ｆａｂで免疫したウサギ血清中のＡＤＡ検出に悪影響を有しなかった。（Ｂ）改善されたアッセイ形式は、標的媒介シグナルを軽減し、ラット毒物学サンプル中の実際のＡＤＡシグナルを検出する。
【図６−２】同上。
【図７−１】（図７Ａ〜Ｂ）標的遮断試薬の不在下および存在下で、異なるアッセイｐＨによる標的の薬物への結合を描写する。（Ａ）異なるアッセイ条件による結合会合および解離曲線。波長シフト（Δｎｍ）は、標的の薬物への結合の結果としてバイオセンサーチップの厚さの変化に正比例する。標的の薬物への会合および解離は、ｐＨ７．３およびｐＨ８．２で、ｐＨ７．３のＭｓＡｂ２およびＭｓＳＲの存在下、ならびにｐＨ８．２のＭｓＡｂ２およびＭｓＳＲの存在下で示される。ｐＨ７．３およびｐＨ８．２での緩衝液対照も示される。標的の薬物への結合は、ｐＨ８．３のみにより部分的に阻害される。中性アッセイｐＨのＭｓＡｂ２とＭｓＳＲとの組み合わせは、標的の薬物への結合を大幅に低減し得るが、結合の完全な阻害は、ＭｓＡｂ２、ＭｓＳＲ、および弱い塩基性ｐＨの組み合わせで達成される。（Ｂ）臨床サンプル中の標的媒介シグナルは、弱い塩基性ｐＨのみ、または中性ｐＨでのＭｓＡｂ２およびＭｓＳＲの存在により部分的に阻害された。しかしながら、標的干渉の完全な阻害は、ＭｓＡｂ２、ＭｓＳＲ、およびｐＨ８．３の組み合わせにより達成される。
【図７−２】同上。
【発明を実施するための形態】
【００１７】
医薬品、特に療法用タンパク質の免疫原性は、潜在的に深刻な副作用、有効性の喪失、および薬物曝露の変化につながる可能性があり、毒性、薬力学（ＰＫ）データ、および薬力学（ＰＤ）データの翻訳の複雑さから、臨床および前臨床研究において重要な課題である。ＡＤＡを検出および定量化するための抗抗体薬物（ＡＤＡ）免疫アッセイは、生物療法薬の免疫原性を決定する上で重要である。しかしながら、薬物標的は、ＡＤＡ免疫アッセイに干渉し、標的媒介偽陽性の結果をもたらし得る（図１Ｂを参照されたい）。標的レベルは、酸解離ステップ中の標的上方調節、ならびに標的：薬物および／または標的：結合タンパク質複合体からの標的の放出に基づいて高くなり得、通常、アッセイの薬物許容を改善するためにＡＤＡアッセイで用いられる。
【００１８】
ＡＤＡは、通常、ＡＤＡを検出、確認、および力価測定するために、多層アプローチで試験される。スクリーニングアッセイは、通常、フローティングカットポイントを用いて、ＡＤＡ陽性の可能性のあるサンプルを特定し、確認アッセイは、確認カットポイントを使用して、スクリーニングアッセイで観察された陽性反応が過剰な薬物の存在により阻害され得るかどうかを決定する（サンプルをＡＤＡ陽性として確認する）。力価カットポイントは、陽性サンプル中のＡＤＡのレベルを評価するための力価アッセイで使用される。ＡＤＡアッセイは、典型的には、捕捉試薬および検出試薬の両方として薬物を使用する架橋形式を使用する。これらのアッセイは、セットアップおよび実行が比較的簡単で、ほとんどのＩｇＧ４を除くほとんどのアイソタイプ応答を検出し、優れた感度を提供する。それらは種特異的ではなく、ハイスループットである。しかしながら、可溶性または脱落した二量体もしくは多量体薬物標的は、アッセイを干渉し、標的媒介偽陽性の結果をもたらし得る。例えば、メポリズマブ治療を受けた患者の投薬後サンプルにおけるＩＬ−５ホモ二量体の上昇は、ＡＤＡ架橋アッセイで標的媒介偽陽性シグナルを生成することにより、観察されたＡＤＡアッセイ陽性の増加に寄与した（Ｌｉａｏ，Ｋ．，ｅｔ  ａｌ．，Ｊ  Ｉｍｍｕｎｏｌ  Ｍｅｔｈｏｄｓ，２０１７，４４１：ｐ．１５−２３）。ホモ二量体であるＮＧＦの存在はまた、ビオチンおよびルテニウム標識フラヌマブを架橋することにより、フラヌマブ投薬患者からのサンプル中に偽陽性アッセイシグナルを作成した（Ｄａｉ，Ｓ．，ｅｔ  ａｌ．，ＡＡＰＳ  Ｊ，２０１４，１６（３）：ｐ．４６４−７７）。細胞膜フラグメントに存在するＣＤ２０は、オファツムマブのＡＤＡアッセイでもマトリックス干渉を引き起こすことが報告された（Ｃｈｅｎ，Ｋ．，ｅｔ  ａｌ．，Ｊ  Ｉｍｍｕｎｏｌ  Ｍｅｔｈｏｄｓ，２０１３，３９４（１−２）：ｐ．２２−３１）。さらに、酸解離が血清サンプル中の単量体標的を二量体化し、偽陽性シグナルをもたらすことが最近報告された（Ｚｏｇｈｂｉ，Ｊ．，ｅｔ  ａｌ．，Ｊ  Ｉｍｍｕｎｏｌ  Ｍｅｔｈｏｄｓ，２０１５，４２６：ｐ．６２−９）。
【００１９】
標的の干渉の制限を試みるある特定の方法が報告されている。例えば、標的遮断抗体による前処理または標的結合タンパク質による遮断、ならびに標的免疫枯渇は、可溶性標的干渉を軽減するために使用されてきた（Ｌｉａｏ，Ｋ．，ｅｔ  ａｌ．，Ｊ  Ｉｍｍｕｎｏｌ  Ｍｅｔｈｏｄｓ，２０１７，４４１：ｐ．１５−２３、Ｄａｉ，Ｓ．，ｅｔ  ａｌ．，ＡＡＰＳ  Ｊ，２０１４，１６（３）：ｐ．４６４−７７、Ｚｈｏｎｇ，Ｚ．Ｄ．，ｅｔ  ａｌ．，Ｊ  Ｉｍｍｕｎｏｌ  Ｍｅｔｈｏｄｓ，２０１０，３５５（１−２）：ｐ．２１−８、Ｗｅｅｒａｒａｔｎｅ，Ｄ．Ｋ．，ｅｔ  ａｌ．，Ｊ  Ｉｍｍｕｎｏｌ  Ｍｅｔｈｏｄｓ，２０１３，３９６（１−２）：ｐ．４４−５５、およびＭａｒｉａ  Ｍ，Ｌ．Ｊ．，Ｗａｋｓｈｕｌｌ  Ｅ，Ｑｕａｒｍｂｙ  Ｖ．，ＡＡＰＳ  Ｎａｔｉｏｎａｌ  Ｂｉｏｔｅｃｈｎｏｌｏｇｙ  Ｃｏｎｆｅｒｅｎｃｅ．Ｓｅａｔｔｌｅ，ＷＡ，ＵＳＡ，２００９）。ＡＤＡの検出に影響を与えることなく高度にグリコシル化された標的タンパク質からの干渉を遮断するための小麦胚芽凝集素（ＷＧＡ）レクチンの使用を含む他の戦略が報告されている（Ｃａｒｒａｓｃｏ−Ｔｒｉｇｕｅｒｏ，Ｍ．，ｅｔ  ａｌ．，Ｂｉｏａｎａｌｙｓｉｓ，２０１２，４（１６）：ｐ．２０１３−２６）。ＡＤＡのＦｃ領域を検出するためにヒト可溶性Ｆｃγ受容体Ｉ（ｈｓＦｃγＲＩ）を使用する別の代替アッセイ形式も可溶性標的干渉を軽減することが報告されているが、この形式は、すべての潜在的なＡＤＡアイソタイプを検出できない場合がある（Ｗｅｓｓｅｌｓ，Ｕ．，ｅｔ  ａｌ．，Ｂｉｏａｎａｌｙｓｉｓ，２０１６，８（２０）：ｐ．２１３５−４５）。ＡＤＡおよび中和抗体（ＮＡｂ）アッセイにおける薬物標的干渉を軽減するためのいくつかの戦略を記載する白書が最近公開されている（Ｚｈｏｎｇ，Ｚ．Ｄ．，ｅｔ  ａｌ．，ＡＡＰＳ  Ｊ，２０１７，１９（６）：ｐ．１５６４−１５７５）。したがって、標的の干渉を克服し、非臨床研究および臨床研究の両方で有効な免疫原性評価を提供し得る信頼性の高い試験方法を開発することが重要である。
【００２０】
本発明は、ＡＤＡ免疫アッセイにおける標的干渉を軽減して、ＡＤＡ免疫アッセイ、例えば、架橋免疫原性アッセイにおける偽陽性結果を低減するための方法を提供する。特に、本開示は、１つ以上の標的遮断試薬、例えば、抗体または標的受容体ＩｇＧ  Ｆｃ融合タンパク質と、弱い塩基性ｐＨアッセイ条件との組み合わせが、有意なＡＤＡ応答を示さなかったＰＫプロファイルを有する研究サンプルにおいて組換え標的タンパク質に対する高い許容および偽陽性結果のレベルの低減をもたらすという発見に少なくとも部分的に基づいている。したがって、本明細書に記載の方法は、標準的な酸解離手順および標的遮断抗体だけでは効果がない場合の標的干渉を軽減することを提供する。
【００２１】
Ｉ．定義
本発明をより容易に理解できるようにするために、ある特定の用語が最初に定義される。さらに、パラメータの値または値の範囲が列挙されるときはいつでも、列挙された値の中間の値および範囲も本発明の部分であることが意図されることに留意されたい。
【００２２】
以下の記載では、説明の目的で、本発明の完全な理解を提供するために、特定の番号、材料、および構成が記載される。しかしながら、本発明がこれらの特定の詳細なしで実施され得ることは当業者には明らかであろう。場合によっては、本発明を曖昧にしないように、周知の特徴が省略または簡略化され得る。
【００２３】
冠詞「ａ」および「ａｎ」は、本明細書では、冠詞の文法的目的語の１つ以上（すなわち、少なくとも１つ）を指すために使用される。例として、「要素」は、１つの要素または複数の要素を意味する。
【００２４】
「抗体」という用語は、ジスルフィド結合により相互接続された４つのポリペプチド鎖、２つの重（Ｈ）鎖、および２つの軽（Ｌ）鎖から構成される免疫グロブリン分子を含む。各重鎖は、重鎖可変領域（本明細書ではＨＣＶＲまたはＶＨと略される）および重鎖定常領域（ＣＨ）から構成される。重鎖定常領域は、ＣＨ１、ＣＨ２、およびＣＨ３の３つのドメインで構成される。各軽鎖は、軽鎖可変領域（本明細書ではＬＣＶＲまたはＶＬと略される）および軽鎖定常領域から構成される。軽鎖定常領域は、１つのドメインＣＬで構成される。ＶＨおよびＶＬ領域は、相補性決定領域（ＣＤＲ）と呼ばれる超可変性の領域にさらに細分化され得、フレームワーク領域（ＦＲ）と呼ばれるより保存された領域が点在する。各ＶＨおよびＶＬは、３つのＣＤＲおよび４つのＦＲから構成され、アミノ末端からカルボキシ末端に、ＦＲ１、ＣＤＲ１、ＦＲ２、ＣＤＲ２、ＦＲ３、ＣＤＲ３、ＦＲ４の順序で配置されている。
【００２５】
本明細書で使用される場合、「抗原」という用語は、免疫系に抗体またはそれに対する特定の細胞媒介免疫応答を産生させる任意の物質を意味する。疾患関連抗原は、免疫系に抗体またはそれに対する特定の細胞媒介応答を産生させる任意の疾患に関連する任意の物質である。
【００２６】
本明細書で使用される場合、「結合ドメイン」（「結合領域」または「結合部分」とも呼ばれる）は、標的と特異的かつ非共有的に会合、合体、または組み合わされる能力を有する分子またはその部分（例えば、ペプチド、オリゴペプチド、ポリペプチド、タンパク質）を指す。結合ドメインには、生体分子、分子複合体（すなわち、２つ以上の生体分子を含む複合体）、または他の目的の標的のための、任意の天然に存在する、合成、半合成、または組換えにより産生される結合パートナーが含まれる。例示的な結合ドメインには、一本鎖免疫グロブリン可変領域（例えば、ｓｃＴＣＲ、ｓｃＦｖ）、受容体外部ドメイン、リガンド（例えば、サイトカイン、ケモカイン）、または生体分子、分子複合体、もしくは他の目的の標的に結合する特異的能力について選択される合成ポリペプチドが含まれる。
【００２７】
本明細書で理解される場合、「結合分子」は、特定の標的と特異的に相互作用する分子である。そのような結合分子の例には、抗体（モノクローナル抗体を含む）およびそのフラグメント、操作された抗体、融合タンパク質、ならびに当業者に周知の他の同様の抗原結合分子が含まれるが、これらに限定されない。さらに、本明細書で使用される場合、結合分子という用語は、標的と相互作用し得る受容体または受容体様分子を含む。
【００２８】
「抗薬物抗体」または「ＡＤＡ」は、例えば、可変ドメイン、定常ドメイン、または薬物の糖構造など、薬物の任意の領域に対して向けられ得る抗体である。そのような抗薬物抗体は、患者の免疫原性反応として抗体療法中に発生し得る（Ｐａｎ，Ｙ．，ｅｔ  ａｌ．，ＦＡＳＥＢ  Ｊ．９（１９９５）４３−４９を参照されたい）。「抗薬物抗体」のほとんどは、薬物の相補的決定領域のうちの１つ以上に結合する。それらの薬物の抗原に対する抗薬物抗体の親和性は、一般に、その標的抗原に対する薬物の親和性と比較して低い。
【００２９】
本明細書で使用される場合、「架橋免疫アッセイ」または「ＡＤＡ架橋免疫アッセイ」という用語は、二価のＡＤＡが各々異なり、重複しないかまたは干渉しないＡＤＡのエピトープに結合する、２つの異なる結合分子（すなわち、捕捉薬物および検出薬物）により結合されるサンドイッチ型免疫アッセイを意味する。このアッセイでは、捕捉抗体、ＡＤＡ、および検出抗体を含むサンドイッチが形成され、したがって、ＡＤＡはそれに結合する２つの抗体を架橋する（図１Ａを参照されたい）。捕捉抗体は、固体表面、例えば、マイクロタイタープレートまたは他の固体表面に付着し得る。架橋免疫アッセイは、ハイスループットアッセイであり得る。一態様では、本明細書に記載のＡＤＡ架橋免疫アッセイは、２つの抗体薬物、「捕捉薬物」および「検出薬物」を含む。一実施形態では、検出薬物および捕捉薬物は、「同じ」抗体分子を含み、例えば、同じ発現ベクターで組換え的に産生され、同じアミノ酸配列を含む。
【００３０】
ｐＨは、水溶液の酸性度または塩基性度を指定するために使用される対数目盛である。これは、水素イオンの１リットルあたりのモル数の単位で測定されるモル濃度の常用対数のほぼ負の値である。より正確には、水素イオンの活性の常用対数の負の値である。ｐＨが７未満の溶液は酸性で、ｐＨが７を超える溶液は塩基性である。アッセイ条件に関して本明細書で使用される場合、「弱い塩基性ｐＨ」という用語は、約ｐＨ７．５〜約ｐＨ９．５のｐＨを指す。一態様では、弱い塩基性ｐＨは、約ｐＨ８．０〜約ｐＨ９．０のｐＨを含む。別の態様では、弱い塩基性ｐＨは、約ｐＨ８．５〜約ｐＨ９．５のｐＨを含む。別の態様では、弱い塩基性ｐＨは、約ｐＨ７．５〜約ｐＨ８．５のｐＨを含む。別の態様では、弱い塩基性ｐＨは、約ｐＨ７．６、７．７、７．８、７．９、８．０、８．１、８．２、８．３、または８．４のｐＨを含む。
【００３１】
本明細書で使用される場合、「薬物」という用語は、疾患の治療のために個体に投与され得る療法用タンパク質またはその療法上有効な部分を指す。一態様では、薬物は、ヒト療法用モノクローナル抗体などのヒト療法用タンパク質、または免疫グロブリンＦｃドメイン、例えば、ＩｇＧ１  Ｆｃドメインに融合された受容体タンパク質などのヒト療法用融合タンパク質である。別の態様では、薬物は、ヒト化療法用モノクローナル抗体である。別の態様では、薬物は、キメラ抗体である。さらに別の態様では、薬物は、マウス抗体である。一態様では、療法薬物は、臨床試験で評価されている。
【００３２】
抗体薬物などの療法薬物は、腫瘍性疾患、免疫性疾患、中枢神経疾患、血管疾患、および感染症などの様々な疾患の治療に広く使用されている。本発明の方法に含まれる抗体薬物には、規制当局または臨床試験もしくは前臨床試験において承認された任意の療法用抗体が含まれる。２０１８年現在、米国およびＥＵで承認されている抗体薬物には、ベズロトクスマブ、アベルマブ、デュピルマブ、デュルバルマブ、オクレリズマブ、ブロダルマブ、レスリズマブ、オララタマブ、ダラツムマブ、エロツズマブ、ネシツムマブ、インフリキシマブ、オビルトキサキシマブ、アテゾリズマブ、セクキヌマブ、メポリズマブ、ニボルマブ、アリロクマブ、イダルシズマブ、エボロクマブ、ジヌツキシマブ、ベバシズマブ、ペンブロリズマブ、ラムシルマブ、ベドリズマブ、シルツキシマブ、アレムツズマブ、ペルツズマブ、インフリキシマブ、オビヌツズマブ、ブレンツキシマブ、ラキシバクマブ、ベリムマブ、イピリムマブ、デノスマブ、オファツムマブ、ベシレソマブ、トシリズマブ、カナキヌマブ、ゴリムマブ、ウステキヌマブ、セルトリズマブペゴル、カツマキソマブ、エクリズマブ、ラニビズマブ、パニツムマブ、ナタリズマブ、カツマキソマブ、ベバシズマブ、オマリズマブ、セツキシマブ、エファリズマブ、イブリツモマブチウキセタン、ファノレソマブ、アダリムマブ、トシツモマブ、アレムツズマブ、トラスツズマブ、ゲムツズマブオゾガマイシン、インフリキシマブ、パリビズマブ、ネシツムマブ、バシリキシマブ、リツキシマブが含まれるが、これらに限定されない。
【００３３】
本発明の方法で使用される薬物にはまた、開発中であるか、または前臨床もしくは臨床試験を受けている、すなわち、臨床試験で評価されている療法薬物が含まれる。
【００３４】
抗体薬物は、例えば、ＩＬ−４Ｒ、ＩＬ−６Ｒ、ＩＬ−３３、ＰＤ−１、ＣＤ２０ＸＣＤ３、ＬＡＧ−３、ＩＬ−３３、Ｆｅｌ  ｄ１、Ｃ５、ＡＮＧＰＴＬ−３、ＡＣＴＩＶＩＮ  Ａ、ＧＤＦ８、ＰＣＳＫ９、ＶＥＧＦ、ＮＧＦ、またはｅｂｏｌａもしくはｍｅｒｓ−ｃｏｖなどのウイルス抗原を含む任意の抗原を標的とする抗体を含み得る。
【００３５】
本発明の方法で使用され得る追加の療法薬物には、例えば、エビナクマブ、トレボグルマブ、セミプリマブ、アリロクマブ、アフリベルセプト、ファシヌマブ、リロナセプト、およびサリルマブが含まれる。
【００３６】
療法薬物には、承認された薬物のバイオシミラーバージョン、例えば、抗体または療法用融合タンパク質も含まれる。例えば、ＡＬＴ−Ｌ９（Ａｌｔｅｏｇｅｎ）、Ｍ７１０（Ｍｏｍｅｎｔａ／Ｍｙｌａｎ）、ＦＹＢ２０３（Ｆｏｒｍｙｃｏｎ（ＤＥ）／Ｓａｎｔｏ  Ｈｏｌｄｉｎｇ  ＧｍｂＨ）、およびＣＨＳ−２０２０（Ｃｏｈｅｒｕｓ）を含む開発中のアフリベルセプトバイオシミラー。
【００３７】
本明細書で使用される場合、「薬物標的」は、薬物の標的を指す。例えば、一実施形態では、薬物標的は、二量体標的である。一実施形態では、薬物標的は、ホモ二量体薬物標的である。別の実施形態では、薬物標的は、多量体薬物標的である。別の実施形態では、薬物標的は、可溶性または脱落した薬物標的である。薬物標的はＡＤＡ免疫アッセイにおいて干渉し、偽陽性のアッセイ結果をもたらし得る。
【００３８】
本明細書で使用される場合、「薬物標的遮断試薬」は、免疫アッセイにおいて薬物標的に結合および／または薬物標的を遮断することができ、それにより、薬物標的の捕捉薬物または検出薬物への結合を防止することができる任意の試薬を指す。一実施形態では、薬物標的遮断試薬は、抗標的遮断抗体である。抗標的遮断抗体は、ヒト定常領域またはマウス定常領域を含み得る。別の実施形態では、薬物標的遮断試薬は、標的受容体ＩｇＧ  Ｆｃ融合タンパク質であり、ここで、融合タンパク質は、ＩｇＧ  Ｆｃドメインに連結または融合された標的受容体の部分を含む。一態様では、標的受容体の部分は、受容体の細胞外部分である。特定の態様では、ＩｇＧ  Ｆｃドメインは、ヒトＩｇＧ  Ｆｃドメインである。別の態様では、ＩｇＧ  Ｆｃドメインは、マウスＩｇＧ  Ｆｃドメインである。本明細書で詳述されるように、ＡＤＡ免疫アッセイ、例えば、ＡＤＡ架橋免疫アッセイは、免疫アッセイにおける薬物標的干渉を軽減する１つ以上の薬物標的遮断試薬を含み得る。例えば、一実施形態では、免疫アッセイは、１つの薬物標的遮断試薬を含み得る。別の実施形態では、免疫アッセイは、２つの薬物標的遮断試薬を含み得る。一実施形態では、両方の薬物標的遮断試薬は、薬物標的遮断抗体を含み得る。別の実施形態では、アッセイは、１つ以上の薬物標的遮断抗体および１つ以上の標的受容体ＩｇＧ  Ｆｃ融合タンパク質を含み得る。
【００３９】
本明細書で使用される場合、用語「標識された」により修飾される実体または試薬（例えば、結合分子、捕捉薬物、検出薬物、抗薬物抗体（ＡＤＡ）、薬物、タンパク質、酵素、抗体、抗体フラグメント、または関連する種）には、経験的に検出可能（例えば、「検出可能な標識」）である別の分子または化学物質と共役される任意の実体が含まれる。標識された実体の標識として好適な化学種には、ルテニウム、放射線標識、光輝性標識、化学発光標識、蛍光標識、電気化学発光標識、酵素標識、量子ドット、または光学色素標識が含まれるが、これらに限定されない。他の標識には、例えば、ビオチン、タンパク質Ａ、タンパク質Ｇ、グルタチオンＳ−トランスフェラーゼ（ＧＳＴ）が含まれる。これらの標識は、捕捉薬物抗体を標識するために使用でき、次に固体表面に付着させることができる。
【００４０】
本明細書で使用される場合、「蛍光標識」および「フルオロフォア」という用語は交換可能に使用され得、物質が異なる波長（励起波長）の放射により発光されるときに、ある特定の波長（発振波長）で光などの電磁気エネルギーを発振し、サンプル中の目的の分析物と特異的に相互作用または反応して、１つ以上の光シグナルを提供することができる化学的または生化学的分子またはそのフラグメントを包含することを意図する任意の物質を指すことができる。
【００４１】
本明細書で使用される場合、「標的許容レベル」は、アッセイで標的媒介偽陽性シグナルを生成するために必要な標的の量として定義される（アッセイシグナルはプレートカットポイントより上である）。
【００４２】
「サンプル」という用語は、生物または元は生物であったものからの任意の量の物質を含むが、これらに限定されない。そのような生物には、ヒト、マウス、サル、ラット、ウサギ、および他の動物が含まれるが、これらに限定されない。一実施形態では、そのようなサンプルには、対象からの全血、血清、または血漿が含まれるが、これらに限定されない。一実施形態では、サンプル、例えば、血清サンプルは、薬物の臨床試験または前臨床試験中に対象から得られたサンプルである。例えば、サンプルは、臨床試験中に薬物を投与した後に対象から得ることができる。
【００４３】
本明細書で使用される場合、「対象」という用語は、ヒトまたは非ヒト生物を指す。したがって、本明細書に記載の方法および融合複合体は、ヒトおよび家畜の両方の疾患および状態に適用可能である。対象は、「患者」、すなわち、疾患もしくは状態のための医療を受けている生存しているヒトもしくは非ヒト生物、または病状もしくは特定の状態の存在／不在の兆候について調査されている定義されていない病気のヒトもしくは非ヒト生物であり得る。対象はまた、対象が試験目的で薬物を投与された、薬物の臨床試験の参加者も含む。
【００４４】
「Ｆｃドメイン」または「免疫グロブリンＦｃ」または「Ｉｇ  Ｆｃ」という用語は、免疫グロブリン重鎖の「フラグメント結晶化可能」領域を指すことを意味する。一般に、Ｆｃドメインは、第２のＦｃドメインと相互作用して、二量体複合体を形成することができる。Ｆｃドメインは、補体系のＦｃ受容体および／もしくはタンパク質と呼ばれる細胞表面受容体に結合することができるか、またはこれらの結合活性を低減もしくは増強するように改変され得る。Ｆｃドメインは、ＩｇＧ、ＩｇＡ、ＩｇＤ、ＩｇＭ、またはＩｇＥ抗体アイソタイプ（本明細書では、それぞれ、ＩｇＧ  Ｆｃドメイン、ＩｇＡ  Ｆｃドメイン、ＩｇＤ  Ｆｃドメイン、ＩｇＭ  Ｆｃドメイン、およびＩｇＥ  Ｆｃドメインと呼ばれる）に由来し得る。Ｆｃドメインは、オプソニン作用；細胞溶解；肥満細胞、好塩基球、および好酸球の脱顆粒；ならびに他のＦｃ受容体依存性プロセス；補体経路の活性化；ならびにインビボでのタンパク質の安定性を含む免疫活性に影響を与え得る。
【００４５】
「ポリペプチド」という用語は、そのサイズに関係なく、２０個の天然アミノ酸のいずれかを含む任意のポリマーを指すことを意味する。「タンパク質」という用語は、比較的大きなタンパク質に関連して使用されることが多く、「ペプチド」は、小さなポリペプチドに関連して使用されることが多いが、この分野でのこれらの用語の使用はしばしば重複する。「ポリペプチド」という用語は、特に記載のない限り、一般にはタンパク質、ポリペプチド、およびペプチドを指す。一般に、本開示による有用なペプチドは、一般には、遠心分離またはＳＤＳ−ポリアクリルアミドゲル電気泳動などの標準的な分子サイジング技法により判断される場合、約０．１〜１００ＫＤ以上〜最大約１０００ＫＤ、好ましくは約０．１、０．２、０．５、１、２、５、１０、２０、３０〜５０ＫＤである。
【００４６】
本明細書で使用される場合、「可溶性」という用語は、融合分子が、約５〜３７℃を超える温度、かつ低濃度または無濃度の陰イオンまたは非イオン性洗剤の存在下で中性ｐＨまたは中性に近いｐＨで水溶液中に残留する場合に可溶性であることを意味する。これらの条件下では、可溶性タンパク質は、しばしば、低い沈降値、例えば、約１０〜５０スヴェドベリ単位未満を有するであろう。本明細書で参照される水溶液は、典型的には、ｐＨを確立するための緩衝化合物を有し、典型的には、約５〜９のｐＨ範囲内であり、約２ｍＭ〜５００ｍＭのイオン強度範囲である。プロテアーゼ阻害剤または穏やかな非イオン性界面活性剤が添加される場合がある。さらに、必要に応じて、ウシ血清アルブミン（ＢＳＡ）などの担体タンパク質が数ｍｇ／ｍＬまで添加され得る。例示的な水性緩衝液には、標準的なリン酸緩衝生理食塩水、トリス緩衝生理食塩水、または他の周知の緩衝液および細胞培地配合物が含まれる。
【００４７】
「固体表面」という用語は、非流体物質を意味し、ポリマー、金属（常磁性、強磁性粒子）、ガラス、およびセラミックなどの材料から作製された粒子（微粒子およびビーズを含む）、シリカ、アルミナ、およびポリマーゲルなどのゲル物質；ポリマー、金属、ガラス、および／またはセラミックで作製され得る毛細管；ゼオライトおよび他の多孔質物質；電極；マイクロタイタープレート；固体ストリップ；キュベット、チューブ、または他の分光計サンプル容器を含む。
【００４８】
「単離された」という用語は、自然の状態から人間の手により変更された組成物、化合物、物質、または分子を指す。例えば、自然界に存在する組成物または物質は、元の環境から変化または除去された場合、あるいはそれらの両方の場合に単離される。例えば、生きている動物に天然に存在するポリヌクレオチドまたはポリペプチドは単離されないが、その天然状態の共存材料から分離された同じポリヌクレオチドまたはポリペプチドは、本明細書で用いられる用語のように単離される。
【００４９】
ＩＩ．標的干渉の軽減
以下で詳述されるように、サンプル中のＡＤＡを検出するためのＡＤＡ架橋免疫アッセイは、薬物標的干渉（偽陽性ＡＤＡ）の影響を受け易い。ＡＤＡ架橋免疫アッセイでは、サンプルは、捕捉薬物（標識または非標識）、および検出可能な標識を含む検出薬物とともにインキュベートされる。サンプルのインキュベーション後、捕捉薬物、ＡＤＡ、および検出薬物を含むサンドイッチが形成され、したがって、ＡＤＡはそれに結合する２つの薬物を架橋し、結合したＡＤＡが検出され得る（図１Ａを参照されたい）。ＡＤＡ架橋アッセイの真陽性シグナルは、ＡＤＡが捕捉薬物および検出薬物に二価結合して架橋を形成することから生じる。しかし、二量体または多量体の標的が捕捉薬物および検出薬物を架橋し、それにより標的との架橋を形成する場合、偽陽性の結果が生じる（図１Ｂ、および例えば、Ｌｉａｏ，Ｋ．，ｅｔ  ａｌ．，Ｊ  Ｉｍｍｕｎｏｌ  Ｍｅｔｈｏｄｓ，２０１７，４４１：ｐ．１５−２３を参照されたい）。
【００５０】
本明細書で提供される実施例に示されるように、本発明は、ＡＤＡ架橋免疫アッセイにおける薬物標的干渉を軽減し、それにより偽陽性の結果を低減するための方法を提供する。本方法は、弱い塩基性ｐＨアッセイ条件で、サンプルを少なくとも１つの薬物標的遮断試薬とともにインキュベートすることを含む。
【００５１】
一実施形態では、本発明は、血清サンプル中の薬物に対するＡＤＡの存在を決定するためのＡＤＡ架橋免疫アッセイにおける薬物標的干渉を軽減するための方法を提供する。本方法は、血清サンプルを捕捉薬物、検出薬物、および１つ以上の薬物標的遮断試薬と接触させることを含む。次に、これらの成分は、弱い塩基性ｐＨアッセイ条件下でインキュベートされ、薬物標的遮断試薬がサンプル中に存在する薬物標的と相互作用することを可能にし、それによりＡＤＡ架橋免疫アッセイにおける薬物標的の干渉を軽減する。
【００５２】
一態様では、本方法は、以下に記載されるように、ＡＤＡ架橋免疫アッセイを実行することをさらに含む。
【００５３】
別の態様では、１つ以上の薬物標的遮断試薬は、免疫アッセイにおいて薬物標的に結合および／または薬物標的を遮断することができ、したがって、薬物標的の捕捉薬物および／または検出薬物への結合を防止する。特定の態様では、１つ以上の薬物標的遮断試薬は、抗体などの標的遮断結合分子である。さらに別の態様では、標的遮断抗体は、ヒト定常領域を含む。
【００５４】
標的遮断結合分子（例えば、抗体）および薬物（例えば、抗体薬物）が同じヒト定常領域を有する場合、薬物のＦｃ領域に特異的である血清サンプル中のＡＤＡは、標的遮断ヒト抗体に結合し得、かつアッセイでの検出を損なう可能性がある。標的遮断抗体のヒトＩｇ領域をマウスＩｇ領域で置き換えることにより、ＡＤＡ検出による薬物標的遮断抗体の干渉の低減がもたらされ得る。したがって、一態様では、標的遮断抗体は、マウス定常領域を含む。
【００５５】
ＡＤＡ架橋免疫アッセイは、１つ以上の薬物標的遮断試薬を含み得る。一態様では、免疫アッセイは、２つの薬物標的遮断試薬を含む。特定の態様では、２つの薬物標的遮断試薬は、薬物標的遮断抗体、例えば、第１の薬物標的遮断抗体および第２の薬物標的遮断抗体である。より特定の態様では、第１および／または第２の標的遮断抗体は、ヒト定常領域を含む。別の特定の態様では、第１および／または第２の標的遮断抗体は、マウス定常領域を含む。さらに別の態様では、第１および第２の標的遮断抗体の両方が、ヒト定常領域を含む。さらに別の態様では、第１および第２の標的遮断抗体の両方が、マウス定常領域を含む。別の態様では、第１の標的遮断抗体はヒト定常領域を含み、第２の標的遮断抗体はマウス定常領域を含む。さらに別の態様では、第１の標的遮断抗体はマウス定常領域を含み、第２の標的遮断抗体はヒト定常領域を含む。
【００５６】
一実施形態では、本発明は、血漿サンプルを捕捉薬物、検出薬物、第１の薬物標的遮断抗体、および第２の薬物標的遮断抗体と接触させることを含む、血清サンプル中の薬物に対するＡＤＡの存在を決定するためのＡＤＡ架橋免疫アッセイにおける薬物標的干渉を軽減するための方法を提供する。これらの成分は、弱い塩基性ｐＨアッセイ条件下でインキュベートされ、したがって、第１の薬物標的遮断抗体および第２の薬物標的遮断抗体がサンプル中に存在する薬物標的と相互作用することを可能にし、それによりＡＤＡ架橋免疫アッセイにおける薬物標的の干渉を軽減する。
【００５７】
本明細書に記載されるように、本発明者らは、ＡＤＡ架橋免疫アッセイで使用される標的遮断抗体が、試験される薬物といくつかの共通のＣＤＲ  ＶＨ再配列を共有し得ることを見出した。したがって、これらのＶＨ再配列領域に特異的なＡＤＡは、サンプル中の標的遮断抗体に結合し得、かつアッセイでの検出を損なう可能性がある。検出を最適化するために、ヒトＩｇＧ  Ｆｃに融合した標的受容体を操作し、標的遮断抗体のうちの１つの代わりに本発明の方法で使用した。
【００５８】
一実施形態では、本発明の方法で使用される薬物標的遮断試薬のうちの１つ以上は、ＩｇＧ  Ｆｃドメインに融合された標的受容体の部分（標的受容体ＩｇＧ  Ｆｃ融合タンパク質）を含む。一態様では、標的受容体の部分は、受容体の細胞外部分である。別の態様では、標的受容体ＩｇＧ  Ｆｃ融合タンパク質は、可溶性である。特定の態様では、標的受容体ＩｇＧ  Ｆｃ融合タンパク質のＩｇＧ  Ｆｃドメインは、ヒトＩｇＧ  Ｆｃドメインである。
【００５９】
標的受容体ＩｇＧ  Ｆｃ融合タンパク質および薬物がヒトＩｇＧＦｃ領域を有する場合、薬物のＦｃ領域に特異的である血清サンプル中のＡＤＡは、標的受容体ＩｇＧ  Ｆｃ融合タンパク質に結合し得、かつアッセイでの検出を損なう可能性がある。標的受容体ＩｇＧ  Ｆｃ融合タンパク質のヒトＩｇ  Ｆｃ領域をマウスＩｇ領域で置き換えることにより、ＡＤＡ検出による標的受容体ＩｇＧ  Ｆｃ融合タンパク質の干渉の低減がもたらされ得る。したがって、別の態様では、標的受容体ＩｇＧ  Ｆｃ融合タンパク質のＩｇＧ  Ｆｃドメインは、マウスＩｇＧ  Ｆｃドメインである。
【００６０】
アッセイは、１つ以上の薬物標的遮断抗体および１つ以上の標的受容体ＩｇＧ  Ｆｃ融合タンパク質を含み得る。さらに、アッセイは、標的遮断抗体および標的受容体ＩｇＧ  Ｆｃ融合タンパク質を含み得る。
【００６１】
したがって、一実施形態では、本発明は、血清サンプル中の薬物に対するＡＤＡの存在を決定するためのＡＤＡ架橋免疫アッセイにおける薬物標的干渉を軽減するための方法を提供し、ここで、薬物標的は、例えば、受容体に対するリガンドなどの可溶性タンパク質であり、本方法は、血清サンプルを捕捉薬物、検出薬物、ＩｇＧ  Ｆｃドメインに融合された受容体の細胞外部分を含む薬物標的遮断試薬、および薬物標的遮断抗体と接触させることを含む。これらの成分は、弱い塩基性ｐＨアッセイ条件下でインキュベートされ、薬物標的遮断試薬および薬物標的遮断抗体がサンプル中に存在する薬物標的と相互作用することを可能にし、それによりＡＤＡ架橋免疫アッセイにおける薬物標的の干渉を軽減する。
【００６２】
一態様では、ＩｇＧ  Ｆｃドメインは、マウスＩｇＧ  Ｆｃドメインである。別の態様では、ＩｇＧ  Ｆｃドメインは、ヒトＩｇＧ  Ｆｃドメインである。さらに別の態様では、薬物標的遮断抗体は、ヒト定常領域を含む。さらに別の態様では、薬物標的遮断抗体は、マウス定常領域を含む。一態様では、標的受容体ＩｇＧ  Ｆｃ融合タンパク質はマウスＩｇＧ  Ｆｃを含み、標的遮断抗体はマウス定常領域を含む。
【００６３】
一実施形態では、標的遮断試薬は各々、約１０μｇ／ｍＬ〜約２００μｇ／ｍＬのＡＤＡ架橋免疫アッセイにおける濃度を有する。一態様では、標的遮断試薬は各々、約２０μｇ／ｍＬ〜約１７５μｇ／ｍＬの濃度を有する。別の態様では、標的遮断試薬は各々、約３０μｇ／ｍＬ〜約１５０μｇ／ｍＬの濃度を有する。さらに別の態様では、標的遮断試薬は各々、約４０μｇ／ｍＬ〜約１２５μｇ／ｍＬの濃度を有する。さらに別の態様では、標的遮断試薬は各々、約５０μｇ／ｍＬ〜約１００μｇ／ｍＬの濃度を有する。別の態様では、標的遮断試薬は各々、約５０、６０、７０、７５、８０、８５、９０、９５、または１００μｇ／ｍＬの濃度を有する。別の態様では、標的遮断試薬は各々、約１００μｇ／ｍＬの濃度を有する。
【００６４】
本明細書に記載の標的干渉を軽減するための方法は、弱い塩基性ｐＨアッセイ条件下でＡＤＡ免疫アッセイを実行することを含む。弱い塩基性ｐＨは、中性ｐＨよりわずかに高いｐＨ値の範囲を含む。一実施形態では、弱い塩基性ｐＨは、約ｐＨ７．５〜約ｐＨ９．５のｐＨを指す。一態様では、弱い塩基性ｐＨは、約ｐＨ７．５〜約ｐＨ８．５のｐＨを含む。一態様では、弱い塩基性ｐＨは、約ｐＨ８．５〜約ｐＨ９．０のｐＨを含む。一態様では、弱い塩基性ｐＨは、約ｐＨ８．０〜約ｐＨ９．０のｐＨを含む。別の態様では、弱い塩基性ｐＨは、約ｐＨ８．５〜約ｐＨ９．５のｐＨを含む。
【００６５】
ＩＩＩ．ＡＤＡ免疫アッセイ
免疫アッセイは、当業者に周知されている。そのようなアッセイを実施するための方法、ならびに実際の適用および手順は、当技術分野で周知されており、例えば、Ｃｏｌｏｗｉｃｋ，Ｓ．Ｐ．ａｎｄ  Ｃａｐｌａｎ，Ｎ．Ｏ．（ｅｄｓ．），“Ｍｅｔｈｏｄｓ  ｉｎ  Ｅｎｚｙｍｏｌｏｇｙ”，Ａｃａｄｅｍｉｃ  Ｐｒｅｓｓ，ｄｅａｌｉｎｇ  ｗｉｔｈ  ｉｍｍｕｎｏｌｏｇｉｃａｌ  ｄｅｔｅｃｔｉｏｎ  ｍｅｔｈｏｄｓ，ｅｓｐｅｃｉａｌｌｙ  ｖｏｌｕｍｅｓ  ７０，７３，７４，８４，９２，ａｎｄ  １２１に記載されている。異なる免疫アッセイの原理は、例えば、Ｈａｇｅ，Ｄ．Ｓ．（Ａｎａｌ．Ｃｈｅｍ．７１（１９９９）２９４Ｒ−３０４Ｒ）により記載されている。免疫アッセイで使用するための抗体の配向固定化について記載しているＬｕ，Ｂ．，ｅｔ  ａｌ．（Ａｎａｌｙｓｔ  １２１（１９９６）２９Ｒ−３２Ｒ）。アビジン−ビオチン媒介免疫アッセイは、例えば、Ｗｉｌｃｈｅｋ，Ｍ．，ａｎｄ  Ｂａｙｅｒ，Ｅ．Ａ．，ｉｎ  Ｍｅｔｈｏｄｓ  Ｅｎｚｙｍｏｌ．１８４（１９９０）４６７−４６９により記載されている。
【００６６】
一般的に使用されるＡＤＡアッセイ法は、架橋免疫アッセイである（例えば、Ｌｉａｏ，Ｋ．，ｅｔ  ａｌ．，Ｊ  Ｉｍｍｕｎｏｌ  Ｍｅｔｈｏｄｓ，２０１７，４４１：ｐ．１５−２３、Ｄａｉ，Ｓ．，ｅｔ  ａｌ．，ＡＡＰＳ  Ｊ，２０１４，１６（３）：ｐ．４６４−７７、およびＺｈｏｎｇ，  Ｚ．Ｄ．，ｅｔ  ａｌ．，ＡＡＰＳ  Ｊ，２０１７．１９（６）：ｐ．１５６４−１５７５を参照されたく、それらの内容は参照により本明細書に組み込まれる）。ＡＤＡ架橋免疫アッセイはサンドイッチ型免疫アッセイであり、ここで、多価ＡＤＡは２つの異なる抗体薬物（捕捉薬物および検出薬物）に結合し、各々がＡＤＡの異なる重複しないかまたは干渉しないエピトープに結合する。特に、このアッセイでは、サンプルは、捕捉薬物（標識または非標識）、および検出可能な標識を含む検出薬物とともにインキュベートされる。サンプルのインキュベーション後、捕捉薬物、ＡＤＡ、および検出薬物を含むサンドイッチが形成され、したがって、ＡＤＡはそれに結合する２つの薬物を架橋し、結合したＡＤＡが検出され得る（図１Ａを参照されたい）。一態様では、免疫アッセイは、ハイスループットアッセイである。
【００６７】
ＡＤＡ架橋免疫アッセイは、ＡＤＡの存在または量を決定することをさらに含む。したがって、本開示は、検出可能な標識に共役された検出薬物を提供する。本発明の方法のいずれかに対する検出可能な標識の非限定的な例には、ルテニウム、放射線標識、光輝性標識、化学発光標識、蛍光標識、フルオロフォア、ハプテン、電気化学発光標識、または酵素標識が含まれる。検出可能な標識は、当業者に既知の機器およびデバイスを使用して測定され得る。
【００６８】
本明細書で提供される方法で使用するための代表的なフルオロフォアには、例えば、緑色蛍光タンパク質、青色蛍光タンパク質、赤色蛍光タンパク質、フルオレセイン、フルオレセイン５−イソチオシアネート（ＦＩＴＣ）、シアニン色素（Ｃｙ３、Ｃｙ３．５、Ｃｙ５、Ｃｙ５．５、Ｃｙ７）、ボディピー色素（Ｉｎｖｉｔｒｏｇｅｎ）および／またはＡｌｅｘａ  Ｆｌｕｏｒ色素（Ｉｎｖｉｔｒｏｇｅｎ）、ダンシル、ダンシルクロリド（ＤＮＳ−Ｃ１）、５−（ヨードアセタミダ）フルオレセイン（５−ＩＡＦ、６−アクリロイル−２−ジメチルアミノナ−フタレン（アクリロダン））、７−ニトロベンゾ−２−オキサ−１，３−ジアゾール−４−イルクロリド（ＮＢＤ−Ｃｌ）、臭化エチジウム、ルシファーイエロー、ローダミン色素（５−カルボキシローダミン６Ｇ塩酸塩、リサミンローダミンＢ塩化スルホニル、ローダミン−Ｂ−イソチオシアネート（ＲＩＴＣ（ローダミン−Ｂ−イソチオシアネート）、ローダミン８００）；テトラメチルローダミン５−（および６−）イソチオシアネート（ＴＲＩＴＣ））、テキサスレッド、塩化スルホニル、１−アニリノナフタレン−８−スルホン酸（ＡＮＳ）および６−（ｐ−トルイジニル）ナフタレン−ｅ−２−スルホン酸（ＴＮＳ）を含むがこれらに限定されないナフタルアミンスルホン酸、アントロイル脂肪酸、ＤＰＨ、パリナル酸、ＴＭＡ−ＤＰＨ、フルオロニル脂肪酸、フルオレセイン−ホスファチジルエタノールアミン、テキサスレッド−ホスファチジルエタノールアミン、ピレニル−ホスファチジルコリン、フルオレニル−ホスファチジルコリン、メロシアニン５４０、ナフチルスチリル、３，３’ジプロピルチアジカルボシアニン（ジＳ−Ｃ３−（５））、４−（ｐ−ジペンチルアミノスチリル−１−メチルピリジニウム（ジ−５−ＡＳＰ）、Ｃｙ−３ロドアセタミド、Ｃｙ−５−Ｎ−ヒドロキシスクシンイミド、Ｃｙ−７−イソチオシアネート、ＩＲ−１２５、チアゾールオレンジ、アズールＢ、ナイルブルー、Ａｌフタロシアニン、オキサキシン１，４’，６−ジアミジノ−２−フェニルインドール、（ＤＡＰＩ）、Ｈｏｅｃｈｓｔ  ３３３４２、ＴＯＴＯ、アクリジンオレンジ、エチジウムホモ二量体、Ｎ（エトキシカルボニルメチル）−６−メトキシキノリニウム（ＭＱＡＥ）、Ｆｕｒａ−２、カルシウムグリーン、カルボキシＳＮＡＲＦ−６、ＢＡＰＴＡ、クマリン、ファイトフィオール（ｐｈｙｔｏｆｉｕｏｒ）、コロネン、ならびに金属−リガンド複合体が含まれる。
【００６９】
本明細書で提供される方法で使用するためのハプテンには、例えば、ジゴキシゲニン、およびビオチンが含まれる。
【００７０】
本明細書で提供される方法で使用するための酵素には、例えば、アルカリホスファターゼ（ＡＰ）、β−ガラクトシダーゼ、西洋ワサビペルオキシダーゼ（ＨＲＰ）、大豆ペルオキシダーゼ（ＳＢＰ）、ウレアーゼ、β−ラクタマーゼ、およびグルコースオキシダーゼが含まれる。
【００７１】
一実施形態では、捕捉薬物は、固体表面に共役される。一態様では、捕捉薬物の固体表面への共役は、特定の結合対を介して実行され、ここで、捕捉薬物は、標識または共役される。一態様では、特異的結合対（第１の成分／第２の成分）は、ストレプトアビジンまたはアビジン／ビオチン、ビオチン／ニュートラビジン、ビオチン／カプタビジン、抗体／抗原（例えば、Ｈｅｒｍａｎｓｏｎ，Ｇ．Ｔ．，ｅｔ  ａｌ．，Ｂｉｏｃｏｎｊｕｇａｔｅ  Ｔｅｃｈｎｉｑｕｅｓ，Ａｃａｄｅｍｉｃ  Ｐｒｅｓｓ，１９９６を参照されたい）、エピトープ／抗体、タンパク質Ａ／免疫グロブリン、タンパク質Ｇ／免疫グロブリン、タンパク質Ｌ／免疫グロブリン、ＧＳＴ／グルタチオン、Ｈｉｓタグ／ニッケル、ＦＬＡＧ／Ｍ１抗体、マルトース結合タンパク質／マルトース、カルモジュリン結合タンパク質／カルモジュリン、酵素／酵素基質、レクチン／多糖、ステロイド／ステロイド結合タンパク質、ホルモン／ホルモン受容体、および受容体−リガンド結合対から選択される。一態様では、捕捉薬物は、ビオチンに共役される（特異的結合対の第１の成分として）。この場合、固相への共役は、固定化されたアビジンまたはストレプトアビジンを介して実行される（図１Ａを参照されたい）。
【００７２】
いくつかの実施形態では、ＧｌｃＮａｃ結合タンパク質は、結合対の第１のメンバー（例えば、ビオチン、アビジン、ニュートラビジン、キャプタビッド、抗体、抗原、タンパク質Ａ、タンパク質Ｇ、タンパク質Ｌ、ＧＳＴ、Ｈｉｓタグ、ＦＬＡＧ、ＭＢＰ、カルモジュリン結合タンパク質、酵素、受容体、またはリガンド）に共役される。
【００７３】
一実施形態では、ＡＤＡ免疫アッセイで試験されるサンプルは、血清サンプルである。一態様では、血清サンプルは、１％〜２０％の血清を含む。一態様では、血清サンプルは、約１％〜約１０％の血清を含む。別の態様では、血清サンプルは、約１０％〜約１５％の血清を含む。さらに別の実施形態では、血清サンプルは、約１０％〜約２０％の血清を含む。さらに別の実施形態では、血清サンプルは、約１５％〜約２０％の血清を含む。特定の態様では、血清サンプルは、約１％の血清を含む。一態様では、血清は、ヒト血清である。
【００７４】
一実施形態では、ＡＤＡ架橋免疫アッセイは、酸解離ステップを含む。一態様では、血清サンプルは、酸、例えば、酢酸で１０倍に希釈され、捕捉薬物および検出薬物とのインキュベーションの前に室温でインキュベートされる。
【００７５】
一実施形態では、捕捉薬物および検出薬物は、免疫アッセイにおいて約０．５μｇ／ｍＬ〜約１０μｇ／ｍＬの濃度を有する。一態様では、捕捉薬物および検出薬物は、０．５μｇ／ｍＬ超〜１０μｇ／ｍＬ未満の濃度を有する。別の態様では、捕捉薬物および検出薬物は、約０．５μｇ／ｍＬ〜約５μｇ／ｍＬの濃度を有する。さらに別の態様では、捕捉薬物および検出薬物は、約０．５μｇ／ｍＬ〜約２．０μｇ／ｍＬの濃度を有する。さらに別の態様では、捕捉薬物および検出薬物は、約０．５μｇ／ｍＬ〜約１μｇ／ｍＬの濃度を有する。好ましい態様では、捕捉薬物および検出薬物は、約０．５μｇ／ｍＬの濃度を有する。
【００７６】
一実施形態では、サンプル、捕捉薬物、および検出薬物のインキュベーションは、室温で実施される。一態様では、サンプル、捕捉薬物、および検出薬物のインキュベーション時間は、少なくとも０．５時間である。別の態様では、インキュベーション時間は、少なくとも１時間である。一態様では、インキュベーション時間は、少なくとも１．５時間である。一態様では、インキュベーション時間は、最大２時間である。さらに別の態様では、インキュベーション時間は、０．５時間〜１２時間である。一態様では、インキュベーション時間は、０．５時間〜５時間である。別の態様では、インキュベーション時間は、１時間〜１２時間である。一態様では、インキュベーション時間は、１時間〜５時間である。別の態様では、インキュベーション時間は、５時間〜１２時間である。
【００７７】
一実施形態では、サンプル、捕捉薬物および検出薬物のインキュベーションに続いて、サンプルは、標識された固体表面、例えば、ストレプトアビジンで標識された固体表面に移され、さらにインキュベートされ、その結果、捕捉薬物は、固体表面に付着する。一態様では、インキュベーションは、室温である。別の態様では、インキュベーションに続いて、サンプルは、標識抗体の検出について当技術分野で既知の任意の方法を使用してＡＤＡへの結合について分析され、ここで、検出薬物は、薬物標識、例えば、ルテニウムの検出に基づいて検出される。ＡＤＡ架橋アッセイの真陽性シグナルは、ＡＤＡが捕捉薬物および検出薬物に二価結合して、架橋を形成することから生じる。
【００７８】
本明細書に記載の免疫アッセイ用の固体表面は、最新技術で広く記載されている（例えば、Ｂｕｔｌｅｒ，Ｊ．Ｅ．，Ｍｅｔｈｏｄｓ  ２２（２０００）４−２３を参照されたく、これは、参照により本明細書に組み込まれる）。アッセイの固体表面成分は、「固体表面」がその表面上に捕捉薬物と相互作用することを意図する少なくとも１つの部分を含有するという点で、アッセイが接触し得る不活性固体表面とは区別される。固体表面は、チューブ、ストリップ、キュベット、もしくはマイクロタイタープレートなどの固定成分であり得るか、またはビーズおよび微粒子などの非固定成分であり得る。微粒子は、均一な表面形式の固相としても使用され得る。タンパク質および他の物質の非共有付着または共有付着のいずれかを可能にする様々な微粒子が使用され得る。そのような粒子には、ポリスチレンおよびポリ（メチルメタクリレート）などのポリマー粒子、金ナノ粒子および金コロイドなどの金粒子、ならびにシリカ、ガラス、および金属酸化物粒子などのセラミック粒子が含まれる。例えば、Ｍａｒｔｉｎ，Ｃ．Ｒ．，ｅｔ  ａｌ．，Ａｎａｌｙｔｉｃａｌ  Ｃｈｅｍｉｓｔｒｙ−Ｎｅｗｓ＆Ｆｅａｔｕｒｅｓ  ７０（１９９８）３２２Ａ−３２７Ａを参照されたく、これは、参照により本明細書に組み込まれる。
【００７９】
本発明は、以下の実施例によりさらに例示されるが、これは、決して限定することを意図するものではない。本出願を通して引用されたすべての参考文献、特許、および公開された特許出願の全内容、ならびに図は、参照により本明細書に組み込まれる。
【実施例】
【００８０】
実施例１：標的遮断試薬および弱い塩基性ｐＨによる架橋免疫原性アッセイにおける標的干渉の軽減
材料および方法
材料および試薬
本明細書に記載の機能的薬物アッセイおよび標的アッセイについて、特に明記しない限り、すべての溶液をアッセイ緩衝液（０．５％ＢＳＡ、０．０５％Ｔｗｅｅｎ（登録商標）−２０、１Ｘ  ＰＢＳ）で調製した。本明細書に記載のＡＤＡアッセイについて、特に明記しない限り、すべての溶液を１％ＢＳＡ、１ＸＰＢＳで調製した。ＰＢＳは、Ｌｉｆｅ  Ｔｅｃｈｎｏｌｏｇｉｅｓ（Ｇｒａｎｄ  Ｉｓｌａｎｄ，ＮＹ）からのものであった。１．５Ｍ  Ｔｒｉｚｍａベースは、Ｓｉｇｍａ（Ｓｔ  Ｌｏｕｉｓ，ＭＯ）からのものであった。氷酢酸は、Ｔｈｅｒｍｏ  Ｆｉｓｈｅｒ  Ｓｃｉｅｎｔｉｆｉｃ（Ｗａｌｔｈａｍ，ＭＡ）からのものであった。ＨＢＳ−ＥＰ＋（１０Ｘ）緩衝液は、ＧＥ  Ｌｉｆｅ  Ｓｃｉｅｎｃｅ（Ｍａｒｌｂｏｒｏｕｇｈ，ＭＡ）からのものであった。ヒト血清は、Ｂｉｏｒｅｃｌａｍａｔｉｏｎ（Ｈｉｃｋｓｖｉｌｌｅ，ＮＹ）からのものであった。ストレプトアビジンでコーティングされたマイクロプレートは、Ｍｅｓｏ  Ｓｃａｌｅ  Ｄｉｓｃｏｖｅｒｙ（Ｒｏｃｋｖｉｌｌｅ，Ｍａｒｙｌａｎｄ）からのものであった。組換えヒト標的タンパク質は、Ｒ＆Ｄ  Ｓｙｓｔｅｍ（Ｍｉｎｎｅａｐｏｌｉｓ，ＭＮ）からのものであった。黒のマイクロウェルプレート、西洋ワサビペルオキシダーゼ（ＨＲＰ）共役ＮｅｕｔｒＡｖｉｄｉｎ（商標）、およびＳｕｐｅｒＳｉｇｎａｌ  ＥＬＩＳＡ  Ｐｉｃｏ  Ｃｈｅｍｉｌｕｍｉｎｅｓｃｅｎｔ  Ｓｕｂｓｔｒａｔｅ（商標）は、Ｔｈｅｒｍｏ  Ｆｉｓｈｅｒ  Ｓｃｉｅｎｔｉｆｉｃ（Ｒｏｃｋｆｏｒｄ，ＩＬ）からのものであった。ＨＲＰ共役ヤギ抗マウスＩｇＧ、Ｆｃフラグメント特異的抗体は、Ｊａｃｋｓｏｎ  ＩｍｍｕｎｏＲｅｓｅａｒｃｈ（Ｗｅｓｔ  Ｇｒｏｖｅ，ＰＡ）からのものであった。ＡＨＣバイオセンサー（Ａｎｔｉ  ｈｕｍａｎ  ＩｇＧ  Ｆｃ  Ｃａｐｔｕｒｅ）は、Ｐａｌｌ  ＦｏｒｔｅＢｉｏ（Ｆｒｅｍｏｎｔ，ＣＡ）からのものであった。完全ヒトモノクローナル抗体薬物、マウス抗薬物モノクローナル抗体、ビオチン化薬物、ルテニル化薬物、ならびにすべてのヒトおよびマウス抗標的モノクローナル抗体（本明細書ではＨｕＡｂ１、ＨｕＡｂ２（ヒト）、およびＭｓＡｂ２（マウス）と呼ばれる）、可溶性ヒトおよびマウス受容体融合タンパク質（本明細書ではそれぞれＨｕＳＲおよびＭｓＳＲと呼ばれる）、ならびにビオチン化ヒト抗標的モノクローナル抗体（ＡＤＡおよび標的アッセイで使用される）は、Ｒｅｇｅｎｅｒｏｎ  Ｐｈａｒｍａｃｅｕｔｉｃａｌｓ（Ｔａｒｒｙｔｏｗｎ，ＮＹ）により生成された。
【００８１】
ｐＨ測定
ｐＨ測定を、ＩｎＬａｂ  Ｅｘｐｅｒｔ  Ｐｒｏ−ＩＳＭ（商標）電極を備えた較正済みＭｅｔｌｅｒ  Ｔｏｌｅｄｏメーター（Ｃｏｌｕｍｂｕｓ，Ｏｈｉｏ）を使用して実行した。貯蔵ヒト血清を３００ｍＭ酢酸で１０倍に希釈した。次に、酸性化したサンプルを、異なる濃度のトリス塩基溶液で１０倍に緩衝した。下の表１に示すように、最終的なアッセイ溶液でｐＨ測定を実行した。
【表１】
2021531448.tif 000002
【００８２】
ＡＤＡアッセイ
ヒト血清サンプル中の抗薬物抗体（ＡＤＡ）を、非定量的ＡＤＡ架橋免疫アッセイを使用して検出した（図１Ａ〜Ｃ）。このＡＤＡ架橋アッセイは、陽性対照としてマウス抗薬物モノクローナル抗体を、架橋成分としてビオチン化薬物およびルテニル化薬物を用いる（図１Ａ）。血清サンプルを３００ｍＭ酢酸で１０倍に希釈することにより酸性化し、室温（ＲＴ）で少なくとも１０分間インキュベートした。ビオチン化薬物およびルテニル化薬物（０．５μｇ／ｍＬ）を、血清サンプルに添加する前に、６０ｍＭのトリス塩基を含有するアッセイ緩衝液で調製した。次に、酸処理した血清サンプルを、標識された薬物溶液で１０倍に希釈した。室温で約６０分間インキュベートした後、サンプルを遮断した（５％ＢＳＡ）ストレプトアビジンＭｕｌｔｉ−Ａｒｒａｙ（商標）９６ウェルプレート（ＭＳＤ）に移し、室温で約６０分間インキュベートした。プレートを洗浄し、Ｒｅａｄ  Ｂｕｆｆｅｒを添加し、ＭＳＤプレートリーダー、例えば、ＳＥＣＴＯＲ  Ｉｍａｇｅｒ  ２４００を使用してプレートを読み取った。標的媒介の干渉を遮断するために（図１Ｂ）、抗標的モノクローナル抗体（１００μｇ／ｍＬ）および／または可溶性受容体タンパク質（１００μｇ／ｍＬ）も標識薬物溶液に含めた（図１Ｃ）。さらに、標識された薬物溶液を６０ｍＭのトリスで調製して、ｐＨを弱い塩基性条件に調整することにより、標的のビオチン化薬物およびルテニル化薬物の両方への結合も最小限に抑えられる。
【００８３】
標的アッセイ
この手順は、マウス抗標的モノクローナル抗体（１μｇ／ｍＬ）でコーティングされたマイクロタイタープレートを用い、標準物として組換え標的タンパク質を利用する。標準物およびＱＣを当業者に周知の培地で調製して、ヒト血清からの内因性標的タンパク質による干渉を回避した。標準物、対照、およびサンプルを３００ｍＭ酢酸で１０倍に希釈し、室温で約３０分間インキュベートした。酸処理したサンプルを、プレートに添加する前に、抗薬物モノクローナル抗体（１００μｇ／ｍＬ）でスパイクした３００ｍＭのトリス−塩基溶液を使用して中和（１：２希釈）して、薬物干渉を最小限に抑えた。プレートに捕捉された標的タンパク質を、異なるビオチン化ヒト抗標的モノクローナル抗体（２００ｎｇ／ｍＬ）、続いて西洋ワサビペルオキシダーゼに共役したＮｅｕｔｒＡｖｉｄｉｎ（商標）（ＮｅｕｔｒＡｖｉｄｉｎ−ＨＲＰ（商標））（１００ｎｇ／ｍＬ）を使用して検出した。ペルオキシダーゼに特異的なルミノール系基質を添加して、総標的濃度に比例するシグナル強度を達成した。
【００８４】
機能的薬物アッセイ
機能的薬物アッセイは、標的に結合していないか、または標的に結合しているアームを１つしか有しない抗体薬物のレベルを定量化する。このように、それはまだ標的分子に結合することができる。手順は、標的（０．５μｇ／ｍＬ）でコーティングされたマイクロタイタープレートを用い、標準物として抗体薬物を利用した。プレートに捕捉された薬物を、マウス抗ヒトＩｇＧ４モノクローナル抗体（２５０ｎｇ／ｍＬ）、続いてＦｃ特異的である西洋ワサビペルオキシダーゼ共役ヤギ抗マウスＩｇＧ（抗マウスＩｇＧ−ＨＲＰ）（１００ｎｇ／ｍＬ）を使用して検出した。次に、ペルオキシダーゼに特異的なルミノール系基質を添加して、機能性薬物の濃度に比例するシグナル強度を達成した。
【００８５】
バイオレイヤー干渉法
マウス標的遮断抗体ＭｓＡｂ２および可溶性マウス受容体融合タンパク質ＭｓＳＲの不在下および存在下での抗体薬物への標的結合を、ｐＨ７．３または８．３下でＯｃｔｅｔ  ＲＥＤ９６システム（Ｐａｌｌ  Ｆｏｒｔｅ  Ｂｉｏ）で３０°Ｃ、１０００ｒｐｍの振とう速度で研究した。ＡＨＣバイオセンサーを、１０ｍＭのＨＥＰＥＳ、１５０ｍＭのＮａＣｌ、３ｍＭのＥＤＴＡ、０．０２％（ｖ／ｖ）アジ化ナトリウム、１ｍｇ／ｍＬの  ＢＳＡを含有する希釈緩衝液でｐＨ７．３で３０分間事前に平衡化した。
【００８６】
ローディングステップを、同じ希釈緩衝液で５μｇ／ｍＬの薬物濃度で２０秒間（約０．５ｎｍの厚さを達成するため）で実行し、続いて同じ希釈緩衝液で６０秒間のベースラインステップを実行し、その後、バイオセンサーを、ｐＨ７．３で６０ｎＭのＭｓＡｂ２およびＭｓＳＲを含むかまたは含まない６０ｎＭの濃度で２００μＬの標的を含有するウェルに入れた。同じ手順をｐＨ８．３環境でも実行した。会合曲線を合計で約２００秒、続いて約３００秒の解離フェーズの間収集した。
【００８７】
結果および考察
標的遮断抗体ＨｕＡｂ１を用いた弱い塩基性ｐＨアッセイ条件は、標的許容レベルを増加させ、ヒトナイーブサンプルのバックグラウンドシグナルを低減する。
正常なヒト血清で報告されている標的レベルは、約１０ｎｇ／ｍＬである。標的は、循環中の抗体薬物およびいくつかの阻害性結合タンパク質との複合体を形成する。抗薬物抗体を、酸解離ステップを用いる架橋ＡＤＡ免疫原性アッセイで測定した（図１Ａ〜Ｃ）。酸処理は通常、薬物許容レベルを増加させるが、薬物および任意の標的結合タンパク質と複合形成された標的を放出し、ナイーブヒト血清サンプルにおいて高いバックグラウンドシグナルをもたらす（図２Ａ）。酸前処理を使用してＡＤＡおよびフルラヌマブを解離させた場合の同様の所見が以前に報告されている。ＮＧＦ−フラヌマブ複合体も解離して、遊離ＮＧＦを放出し、これがＡＤＡアッセイに干渉し、偽陽性の結果をもたらした（Ｄａｉ，Ｓ．，ｅｔ  ａｌ．，ＡＡＰＳ  Ｊ，２０１４，１６（３）：ｐ．４６４−７７）。
【００８８】
標的遮断抗体を用いず、かつ中性アッセイｐＨ下のＡＤＡアッセイでは、組換え標的タンパク質を使用して決定された標的許容レベル（プレートカットポイントを超えるアッセイシグナルを得るために必要な標的の量として定義される）は約３ｎｇ／ｍＬである（図２Ｂ）。中性アッセイｐＨで１００μｇ／ｍＬの標的遮断抗体ＨｕＡｂ１の存在下で、標的許容レベルは、約１５０ｎｇ／ｍＬに増加する。興味深いことに、アッセイｐＨ８．３および同じ濃度のヒト標的遮断抗体ＨｕＡｂ１を用いると、標的許容レベルは、約１．１μｇ／ｍＬに増加した（図２Ｂ）。アッセイｐＨが８．９の場合、標的許容レベルはさらに高く、約７．５μｇ／ｍＬである。アッセイの感度および薬物許容限界（ＤＴＬ）値は、中性ｐＨまたはｐＨ８．３のいずれでも同様であった。ナイーブヒト血清サンプルのアッセイシグナルも、１００μｇ／ｍＬのＨｕＡｂ１および弱い塩基性ｐＨでバックグラウンドレベルに低減した（図２Ｃ）。
【００８９】
２つの標的遮断試薬と組み合わせた弱い塩基性ｐＨは、臨床研究サンプル中の標的媒介のバックグラウンドシグナルを阻害する。
ヒト標的遮断抗体ＨｕＡｂ１および弱い塩基性ｐＨ条件の組み合わせがさらに臨床研究サンプル中の標的干渉を阻害できるかどうかを試験するために、４つの異なる時点（１日目、２９日目、５７日目、および１１３日目）での薬物を用いた単回投薬研究からの３人の対象からの第Ｉ相臨床サンプルを試験した。社内の標的アッセイで測定した場合、２９日目および５７日目のサンプルでは、標的レベルにおいて１０〜１２倍の増加が観察され（図３Ａ）、標的レベルは１１３日目のサンプルのベースラインに近くなった。これらのサンプルで観察された最高の標的濃度は約６０ｎｇ／ｍＬであり、ＡＤＡアッセイの標的許容レベルよりもはるかに低かった。しかしながら、これらのサンプルをＡＤＡアッセイで試験した場合、１００μｇ／ｍＬのヒト標的遮断抗体ＨｕＡｂ１をｐＨ８．３で用いると、２９日目および５７日目のサンプル中で陽性シグナルが検出され、アッセイシグナルは１１３日目のサンプルのバックグラウンドレベルに近くなった（図３Ｂ）。
【００９０】
これらの対象は抗体薬物の単回投薬を受け、彼らのＰＫプロファイルは有意なＡＤＡ応答を示唆しなかった（図３Ｃ）。さらに、これらのサンプルのＡＤＡシグナルは、標的レベルと相関しているように見える。続いて、投薬後のサンプルの大規模なグループも試験し、過半数が陽性のＡＤＡシグナルを示した。したがって、上昇した標的レベルの存在が、標識された薬物との標的媒介架橋を作成することにより、アッセイにおける陽性シグナルの原因である可能性が高い。
【００９１】
これらの臨床サンプルで観察された見かけの標的干渉をさらに軽減するために、第２のヒト標的遮断抗体ＨｕＡｂ２を中性ｐＨまたは弱い塩基性ｐＨのいずれかと組み合わせてＨｕＡｂ１に添加した。興味深いことに、標的媒介のバックグラウンドシグナルは、ベースラインレベルではないが、中性アッセイｐＨとともに１００μｇ／ｍＬの標的遮断抗体ＨｕＡｂ１およびＨｕＡｂ２で用いた場合に著しく減少した。しかしながら、投薬後のサンプルのサブセットは、プレートカットポイントを超えるアッセイシグナルを生成した。これらのサンプルを同じ濃度の標的遮断抗体ＨｕＡｂ１およびＨｕＡｂ２を用いて再度検査したところ、アッセイｐＨ８．３では、すべてプレートカットポイント未満のアッセイシグナルを有した（図３Ｄ）。
【００９２】
塩基ｐＨおよび１００μｇ／ｍＬの標的遮断抗体ＨｕＡｂ１を用いた元のアッセイ形式は、約１．１μｇ／ｍＬの組換え標的タンパク質に耐えることができるようであった（図２Ａ）。しかしながら、標的タンパク質レベルが比較的低い臨床サンプルでは（≦６０ｎｇ／ｍＬ）、標的干渉が観察された。これは、組換え標的タンパク質がアッセイにおいて天然タンパク質と同様に作用し得ない、かつ／または組換えタンパク質と比較した場合に異なる結合特性を有する異なる形態の標的タンパク質が患者で発現され、臨床サンプル中の標的干渉の阻害にあまり効果的ではない標的遮断抗体ＨｕＡｂ１を作製し得ることを示す。組換え型標的タンパク質と内因性の標的タンパク質との間のＡＤＡアッセイにおけるこの矛盾した結果は、アッセイの性能を特徴づけるために実際の研究サンプルを使用することの重要性を浮き彫りにする。
【００９３】
別の興味深い発見は、標的許容レベルに対する弱い塩基性ｐＨの影響であった。ＨｕＡｂ１とＨｕＡｂ２との組み合わせは、中性ｐＨ条件下でこれらの臨床サンプルの標的干渉を完全には阻害しなかった。標的干渉を完全に排除するには、２つの標的遮断抗体とともにわずかに塩基性であるという条件が必要であった。
【００９４】
標的受容体ＭｓＳＲと標的遮断抗体ＭｓＡｂ２との組み合わせも、標的干渉を軽減する。
標的遮断抗体ＨｕＡｂ１は、療法用抗体薬物といくつかの共通のＣＤＲ  ＶＨ再配列を共有しているため、これらのＶＨ再配列領域に特異的な任意のＡＤＡは、標識薬物ではなく、アッセイ緩衝液中のＨｕＡｂ１に結合し得、かつアッセイでの検出を損なう可能性がある。この潜在的な問題を克服するために、ヒトＩｇＧ  Ｆｃ融合を伴う標的受容体であるＨｕＳＲを、当初、標的遮断抗体ＨｕＡｂ１を置き換えるために使用した。図４Ａに示すように、１００μｇ／ｍＬのＨｕＡｂ２と１００μｇ／ｍＬのＨｕＳＲとの組み合わせは、第Ｉ相臨床サンプル中の標的媒介のバックグラウンドシグナルを効果的に阻害し得る。実際、ＨｕＡｂ２／ＨｕＳＲの組み合わせまたはＨｕＡｂ１／ＨｕＡｂ２の組み合わせのいずれかで、同様の標的許容レベルが得られた。
【００９５】
さらに、標的遮断抗体ＨｕＡｂ２は抗体薬物と同じヒトＩｇＧ４定常領域を有し、標的受容体ＨｕＳＲはヒトＩｇＧ  Ｆｃを有する。抗体薬物のＦｃ領域に特異的な患者血清サンプル中の任意の抗薬物抗体は、ＨｕＡｂ２およびＨｕＳＲに結合し得、これもアッセイでの検出を損なう可能性がある。この潜在的な問題を克服するために、ＨｕＳＲのＦｃドメインおよびＨｕＡｂ２の定常領域全体をヒトからマウスに変換して、ＡＤＡ検出における干渉の可能性をさらに低減した。ＭｓＡｂ２（マウス定常領域を有するＨｕＡｂ２）とＭｓＳＲ（マウスＦｃを有するＨｕＳＲ）との組み合わせは、臨床サンプル中の標的干渉を依然として効果的に軽減した（図４Ｂおよび図４Ｃ）。１日目、２９日目、５７日目、および１１３日目の臨床サンプルは、血清中に高レベルの標的を有したにもかかわらず、この新しいアッセイ形式ではバックグラウンドシグナルのみを示した（図５）。
【００９６】
弱い塩基性ｐＨおよび標的遮断試薬は、ウサギの出血およびラットの毒物学サンプルにおける実際のＡＤＡ検出に対して最小限の影響を有する。
弱い塩基性ｐＨおよび標的遮断試薬がＡＤＡの安定性および／または検出に対して最小限の影響を有することを確実するために、薬物Ｆａｂ免疫ウサギからの早期出血を現在のアッセイ形式で分析した。
【００９７】
免疫化の約３０〜４０日後に収集した２匹のウサギからの出血１および出血２を、中性ｐＨまたはｐＨ８．３のいずれかで２つの標的遮断試薬を用いてアッセイした。これらの初期のウサギの出血は、通常、低い親和性を有する薬物に対するポリクローナル抗体応答を有し、その検出は、より厳しいアッセイ条件によってより影響を受ける可能性がある。図６Ａに示すように、ＡＤＡ平均カウント値は、アッセイｐＨに関係なく、各アッセイ条件下で類似しており、これは、弱い塩基性ｐＨおよび標的遮断試薬の添加が、これらのサンプルでＡＤＡの安定性または検出に対して最小限の影響を有するかまたはまったく影響を有しなかったことを示している。
【００９８】
ｐＨ８．３で２つの標的遮断試薬を使用する形式が投薬後のサンプルでＡＤＡを検出し得ることをさらに確認するために、毒物学研究の２匹のラットからのラット血清サンプルを標的レベルおよびＡＤＡレベルの両方について分析した。標的レベルは、ベースラインサンプルと比較して、ラット１の２８日目および８５日目のサンプルで少なくとも１０倍、ラット２の２８日目のサンプルで約１０倍増加したが、ＡＤＡアッセイシグナルの異常な上昇はこれらのサンプルでは観察されず、これは、標的干渉が軽減されたことを示している。同時に、８５日目から両方の動物で始まった高レベルのＡＤＡが検出され、これは、２つの標的遮断試薬の添加およびわずかに塩基性のｐＨアッセイ条件が、ＡＤＡの検出に干渉しなかったことを示している（図６Ｂ）。
【００９９】
弱い塩基性ｐＨおよび標的遮断試薬は、標的の薬物への結合を阻害する。
弱い塩基性ｐＨおよび標的遮断試薬が臨床サンプルの標的干渉を軽減するのに役立ち得るかの理由を理解するために、オクテット実験を実行して、標的遮断試薬の有無にかかわらず、異なるｐＨ条件下で標的の薬物への結合を試験した。結果を図７Ａに示す。結合会合曲線からわかるように、ＭｓＡｂ２およびＭｓＳＲの不在下では、応答は、ｐＨ７．３と比較してｐＨ８．２でわずかに低く、これは、標的と薬物との間の会合がアッセイｐＨによりわずかに影響を受けることを示している。しかしながら、ｐＨ７．３と比較してｐＨ８．２でより速い解離速度が観察され、これは、標的と薬物との間の結合親和性がｐＨ８．２でより弱いことを示している。ｐＨ７．３では、ＭｓＡｂ２およびＭｓＳＲの存在下で、塩基性ｐＨのみと同様に、より速い解離速度も観察された。しかしながら、標的遮断試薬の存在も、標的の薬物への会合に著しく影響を与えた。最後に、結合の完全な阻害は、ｐＨ８．２でのＭｓＡｂ２とＭｓＳＲとの組み合わせで達成される。結合のｐＨ依存性の違いは、弱い塩基性ｐＨでの標的のコンフォメーション変化、またはｐＨ８．２での標的遮断試薬の標的へのより良好な結合のいずれかに起因する可能性があり、したがって、これは標的の薬物への会合の阻害を示している。
【０１００】
これらの結合データは、ＡＤＡアッセイデータをさらに支持し、これは、塩基性ｐＨのみで、臨床サンプル中の標的媒介のシグナルを部分的に阻害し得ることを示している。中性ｐＨでのＭｓＡｂ２とＭｓＳＲとの組み合わせは、標的媒介のシグナルを著しく阻害するが、標的干渉の完全な阻害は、ＭｓＡｂ２、ＭｓＳＲ、およびｐＨ８．３の組み合わせでのみ得られる（図７Ｂ）。
【０１０１】
リガンド結合アッセイ（ＬＢＡ）は、人工的なシグナルを生成するか、所望のアッセイの相互作用を遮断することにより、アッセイ結果を混乱し得る干渉分子の影響を非常に受け易くなっている。標的干渉は一般的な問題であり、薬物に対する特異性および各標的タンパク質の非常に多様な生物学のために克服するのが難しい場合がある。標的は、通常、循環中の薬物およびその結合タンパク質と緊密な複合体を形成し、破壊するのが難しい場合がある。さらに、標的レベルは、標的：薬物および標的：結合タンパク質複合体の形成のために、または生物学的経路に固有のフィードバックメカニズムにより、循環において比較的高いレベルに増加し得る。ＡＤＡ架橋アッセイでは、二量体または多量体の標的の存在が偽陽性の結果につながり、免疫原性の評価を混乱させ得る。この影響は、ＡＤＡアッセイで薬物許容を増加するために一般的に使用される戦略である酸解離により悪化し得、これはまた、標的を含有する複合体を破壊し、標的を放出し、標的媒介偽陽性シグナルをもたらし得る。したがって、アッセイの開発時には慎重に検討し、各戦略の利点と潜在的な人為的結果をアッセイに導入するリスクを比較検討する必要がある。生物学に基づいて、アッセイへの干渉を軽減するために、標的に特異的なアプローチを評価する必要がある。
【０１０２】
標的遮断抗体（単一抗体として、または組み合わせて）、受容体、補因子、ならびに標的結合タンパク質による前処理を使用して、標的干渉を軽減し得る。さらに、アッセイｐＨは、二量体もしくは多量体の標的に直接影響を与えるか、または標的への薬物結合親和性を変化させることにより、標的干渉を軽減するように変更することもできる。さらに、血清サンプル中の天然の標的タンパク質はその組換えバージョンとは異なる作用を示し得るため、実際の投薬後サンプルを試験することにより選択された標的軽減戦略／アッセイ形式の有効性を評価することが重要である。ＰＫデータおよび標的レベルの使用は、実際のＡＤＡ応答を標的媒介シグナルから区別するのにも役立ち得る。
【０１０３】
標的遮断試薬の添加は、標的干渉を軽減するために使用され得る。しかしながら、抗体療法の場合、これらの試薬が薬物と同様のＣＤＲ配列を共有しないこと（抗標的抗体の場合）、またはヒトＩｇＧ定常配列を含有しないこと（抗体、受容体、および結合タンパク質の場合）を確実にする必要があるが、これは、これらの共有配列が、これらの配列に特異的なＡＤＡの検出を低減し得るためである。最後に、薬物に対するポリクローナル応答を伴う低親和性ＡＤＡ陽性動物サンプルの使用は、アッセイの変更により検出が影響を受ける可能性が高い真の低親和性かつ低力価のＡＤＡ応答が、最終的なアッセイ条件下でも検出され得ることを確実にするのに役立ち得る。
【０１０４】
本開示において、薬物標的は、循環中のその阻害性結合タンパク質を有する複数の不活性複合体を形成するホモ二量体である。酸解離はＡＤＡアッセイの薬物許容限界（ＤＴＬ）を増加するが、薬物に結合した標的およびその阻害性結合タンパク質に結合した標的を放出する。放出された標的は、ＡＤＡアッセイで標的干渉をもたらす。さらに、薬物によるマウスの治療は、標的発現を上方調節する。標的の前駆体および成熟形態に特異的な抗体を用いたウエスタンブロット分析は、薬物注射の２８日後にマウスにおいて異なる形態の標的が上方調節されたことを示した。したがって、可能な限り多くの標的許容を備えた堅牢なＡＤＡアッセイが必要である。
【０１０５】
標的遮断抗体（ＨｕＡｂ１）および弱い塩基性ｐＨアッセイ条件（ｐＨ８．３）を含めることにより、本発明者らは、組換え標的タンパク質に対して高い許容レベルを得ることができた。アッセイは、第２の標的遮断抗体ＨｕＡｂ２を添加するように最適化された。これにより、標的許容が著しく改善され、臨床研究サンプルでは陽性率が大幅に低減した。ＨｕＡｂ１抗標的抗体を置き換えることにより、アッセイのさらなる最適化を行った。ＨｕＡｂ１はいくつかの相補性決定領域（ＣＤＲ）配列を薬物と共有しているため、抗薬物ＡＤＡに結合する可能性があり、したがって、ＡＤＡの検出が低減する可能性がある。したがって、ＨｕＡｂ１の代わりにヒトＩｇＧ  Ｆｃ（ＨｕＳＲ）に融合した標的受容体の外部部分を使用した。ＨｕＡｂ２と組み合わせることで、ＨｕＳＲは、標的干渉を遮断することができ、ＨｕＡｂ１／ＨｕＡｂ２の組み合わせも同様である。続いて、ＨｕＳＲのＦｃドメインおよびＨｕＡｂ２の定常領域全体がヒトからマウス（ＭｓＡｂ２およびＭｓＳＲ）に変換されて、ＡＤＡ検出で起こり得る干渉がさらに低減した。オクテットシステムを使用した特性評価実験は、標的の薬物への結合が弱い塩基性ｐＨまたは抗標的遮断試薬のみの存在により阻害されることを示した。しかしながら、結合の完全な阻害は、ＭｓＡｂ２、ＭｓＳＲ、および弱い塩基性ｐＨの組み合わせで達成される。免疫ウサギからの低力価ＡＤＡ陽性出血およびラットでの非臨床研究からの既知のＡＤＡ陽性サンプルの分析により、ＡＤＡ陽性サンプルを検出するアッセイの能力、およびＡＤＡ検出に対する塩基性ｐＨおよび標的遮断試薬の最小限の影響が確認された。
【０１０６】
これらの発見は、標準的な標的遮断抗体が効果的でない場合に、免疫原性アッセイを架橋する際の標的干渉を克服するための代替戦略を提供する。
【０１０７】
同等物
当業者は、本明細書に記載の本発明の特定の実施形態と同等のものを多く認識するか、または通常の実験のみを使用して確認することができるであろう。そのような同等物は、以下の特許請求の範囲に包含されることが意図される。本出願を通して引用されたすべての参考文献、特許、および公開特許出願の内容は、参照により本明細書に組み込まれる。
【図１】
2021531448.tif 000003
【図２】
2021531448.tif 000004
【図３−１】
2021531448.tif 000005
【図３−２】
2021531448.tif 000006
【図４−１】
2021531448.tif 000007
【図４−２】
2021531448.tif 000008
【図５】
2021531448.tif 000009
【図６−１】
2021531448.tif 000010
【図６−２】
2021531448.tif 000011
【図７−１】
2021531448.tif 000012
【図７−２】
2021531448.tif 000013
【国際調査報告】
2021531448.tif 000014
2021531448.tif 000015
2021531448.tif 000016